(57)【特許請求の範囲】
【請求項１】
バッテリーから供給される電力により動作し、マルチメディアデータの符号化データを受信して再生するデータ再生装置であって、
上記符号化データを受信する受信部と、
受信された符号化データを復号して復号データを出力する復号部と、
該復号データに基づいて映像または音声の出力を行う出力部と、
上記受信部、復号部、及び出力部の１以上の動作の制限を、上記マルチメディアデータの属性に応じて、上記バッテリー電力の消費が抑えられるよう行う制御部とを備え、
上記制御部は、
上記マルチメディアデータの属性に基づいて、上記受信部、復号部、及び出力部のうちのいずれの動作を制限可能であるか判定し、
動作制限が可能と判定されたもののうちの、上記データ再生装置のより入力端近くに位置するものの動作を制限することを特徴とするデータ再生装置。
【請求項２】
請求項１記載のデータ再生装置において、
ネットワーク上の端末から、上記マルチメディアデータに関連する関連データを取得する関連データ取得部をさらに備え、
上記制御部は、上記関連データが示す上記マルチメディアデータの属性に基づいて上記動作の制限を行うことを特徴とするデータ再生装置。
【請求項３】
請求項１記載のデータ再生装置において、
上記受信された符号化データを蓄積するデータ蓄積部をさらに備え、
上記制御部は、上記データ蓄積部を、上記関連データに基づいて上記符号化データの一部のみを蓄積するよう制御することを特徴とするデータ再生装置。
【請求項４】
請求項３記載のデータ再生装置において、
上記制御部は、上記データ蓄積部の制御を、上記符号化データに含まれる映像符号化データと音声符号化データのうち、いずれかのデータのみを蓄積するよう行うことを特徴とするデータ再生装置。
【請求項５】
請求項１記載のデータ再生装置において、
ネットワーク上の端末から、上記マルチメディアデータに関連する関連データを取得する関連データ取得部と、
ユーザの嗜好を表す嗜好データを記録した嗜好データ記録部と、
上記関連データと上記嗜好データ記録部に記録した嗜好データとに基づいて、上記受信された符号化データの重要度を判定する判定部とをさらに備え、
上記制御部は、上記判定部により判定された符号化データの重要度に基づいて、上記動作の制限を行うことを特徴とするデータ再生装置。
【請求項６】
請求項１記載のデータ再生装置において、
上記制御部は、上記バッテリー電力の残量に応じて、上記動作の制御を行うことを特徴とするデータ再生装置。
【請求項７】
請求項１記載のデータ再生装置において、
上記出力部は、上記復号データに基づいて画像表示を行うものであり、
上記制御部は、上記出力部の動作の制限を、上記画像表示の際の輝度レベルが制限されるよう行うことを特徴とするデータ再生装置。
【請求項８】
請求項１記載のデータ再生装置において、
上記制御部は、上記符号化データに含まれる映像符号化データのうち、一部のフレームに対するデータを復号あるいは出力するよう、上記動作の制限を行うことを特徴とするデータ再生装置。
【請求項９】
請求項１記載のデータ再生装置において、
上記制御部は、上記符号化データに含まれる映像符号化データと音声符号化データのうち、いずれかのデータのみを受信、復号、出力するよう、上記動作の制限を行うことを特徴とするデータ再生装置。
【請求項１０】
請求項１記載のデータ再生装置において、
上記制御部は、上記マルチメディアデータの属性に基づいて、上記符号化データの、優先度の高いデータのみを復号、あるいは出力するよう、上記動作の制限を行うことを特徴とするデータ再生装置。
【請求項１１】
請求項１記載のデータ再生装置において、
上記符号化データは、上記マルチメディアデータを基本層と付加層とに区分して階層的に符号化して得られた階層符号化データであり、
上記制御部は、上記符号化データの、上記基本層に対応するデータのみを受信、復号、あるいは出力するよう、上記動作の制限を行うことを特徴とするデータ再生装置。
【請求項１２】
請求項１１記載のデータ再生装置において、
上記受信された符号化データを蓄積するデータ蓄積部をさらに備え、
上記制御部は、上記データ蓄積部を、上記マルチメディアデータの属性に基づいて、上記符号化データの、上記基本層に対応する符号化データのみを蓄積するよう制御することを特徴とするデータ再生装置。
【請求項１３】
バッテリーから供給される電力により、マルチメディアデータの符号化データを受信して再生するデータ再生方法であって、
上記符号化データを受信する受信ステップと、
受信された符号化データを復号して復号データを生成する復号ステップと、
該復号データに基づいて映像または音声の出力を行う出力ステップと、
上記受信、復号、及び出力の１以上の動作を、上記マルチメディアデータの属性に応じて、上記バッテリー電力の消費が抑えられるよう制限する制御ステップとを含み、
上記制御ステップでは、
上記マルチメディアデータの属性に基づいて、上記受信、復号、及び出力のうちのいずれの動作を制限可能であるか判定し、
動作制限が可能と判定された１以上の動作のうち、より先に行われる動作を制限することを特徴とするデータ再生方法。
【請求項１４】
請求項１３記載のデータ再生方法において、
ネットワーク上の端末から、上記マルチメディアデータに関連する関連データを取得する関連データ取得ステップと、
上記関連データと嗜好データ記録部に記録されている嗜好データとに基づいて、上記受信された符号化データの重要度を判定する判定ステップとをさらに含み、
上記制御ステップは、上記判定ステップにより判定された符号化データの重要度に基づいて、上記受信、復号、及び出力の１以上の動作を制限することを特徴とするデータ再生方法。
【請求項１５】
バッテリーから供給される電力により、マルチメディアデータの符号化データを受信して再生する処理を、コンピュータに実行させるプログラムであって、
上記符号化データを受信する受信ステップと、
受信された符号化データを復号して復号データを生成する復号ステップと、
該復号データに基づいて映像または音声の出力を行う出力ステップと、
上記受信、復号、及び出力の１以上の動作を、上記マルチメディアデータの属性に応じて、上記バッテリー電力の消費が抑えられるよう制限する制御ステップとを含み、
上記制御ステップでは、
上記マルチメディアデータの属性に基づいて、上記受信、復号、及び出力のうちのいずれの動作を制限可能であるか判定し、
動作制限が可能と判定された１以上の動作のうち、より先に行われる動作を制御することを特徴とするプログラム。
【発明の詳細な説明】
【０００１】
【発明の属する技術分野】
本発明は、データ再生装置及びデータ再生方法に関し、特にバッテリ駆動のデータ再生端末での電力消費が低減されるようマルチメディアデータの符号化データを再生する処理に関するものである。
【０００２】
【従来の技術】
近年、映像音声データの圧縮技術の進歩に伴い、インターネット上での動画配信が可能になった。さらに、無線端末に対する動画配信についても規格TS26.234（Transparent end-to-end packet switched streaming service）が定められるなど、今後、携帯端末上での情報配信サービスの普及が見込まれている。なお、上記規格TS26.234は、無線通信網における受信端末の規格を定める国際標準化団体である３ＧＰＰ（Third Generation Partnership Project）によるものである。
また、情報配信サービスでは、動画像、静止画像、音声、文字などのデータを含むいわゆるマルチメディアデータの配信が行われている。
【０００３】
図１９は、従来のデータ再生装置を説明するブロック図である。
図１９に示すデータ再生装置１００は、マルチメディアデータを符号化して得られるマルチメディアデータストリーム（以下、マルチメディア符号化データあるいは符号化データともいう。）Ｍｄを受信して再生するデータ再生部１１０と、電源としてのバッテリーが搭載され、該データ再生部１１０に該バッテリーの電力を供給する電源供給部１０５とを有する携帯端末である。
【０００４】
上記データ再生部１１０は、上記マルチメディア符号化データＭｄを受信する受信部１０１と、該受信部１０１の出力（受信した符号化データ）ＲＭｄを一時的に記憶するメモリ１０２と、該メモリ１０２から読み出された符号化データＲＭｄを復号して復号データＤｄを出力する復号部１０３と、該復号部１０３からの復号データＤｄに基づいて映像出力（画像表示）あるいは音声出力を行う映像音声出力部１０４とを有している。
【０００５】
ここでデータ再生部１１０を構成する各部１０１〜１０４は、上記バッテリー１０５から供給される電力により、データ処理を行うものである。また、上記映像音声出力部１０４は、例えば、スピーカなどを含む音声出力部（図示せず）や画像表示を行う液晶モニタなどの表示部（図示せず）などを有している。
【０００６】
次に動作について説明する。
上記データ再生装置１００では、そのデータ再生部１１０を構成する各部１０１〜１０４は、電源供給部１０５から供給されるバッテリーの電力により動作する。
【０００７】
そして、サーバＳから送信されたマルチメディア符号化データＭｄが上記データ再生装置１００に入力されると、データ再生部１１０は、電力供給部１０５から供給されるバッテリーの電力により上記マルチメディア符号化データＭｄに対する再生処理を行う。
【０００８】
具体的には、受信部１０１は、上記サーバからの符号化データＭｄを受信し、受信された符号化データＲＭｄがメモリ１０２に格納される。復号部１０３は、該メモリ１０２から読み出された符号化データＲＭｄを復号化して復号データＤｄを出力する。そして、映像音声出力部１０４は、該復号データ、つまり符号化データＲＭｄの復号化により得られたマルチメディアデータＤｄに基づいて、音声出力あるいは画像表示を行う。
【０００９】
ところが、マルチメディア符号化データの再生処理、つまり符号化されたマルチメディアデータを受信して復号し、さらに該復号により得られたマルチメディアデータに基づいて音声出力あるいは画像表示を行う処理では、文字データのみを表示する場合に比べて、多くの電力が必要であり、上述したようなバッテリー駆動のデータ再生装置（携帯端末）では、マルチメディアデータの再生処理を行うと、頻繁にバッテリーの充電を行わなければならないという課題があった。
【００１０】
そこで、バッテリ駆動の再生端末などでは、例えば、バッテリの出力電圧に応じて、データ再生動作を、バッテリ電量の消費が抑えられるよう制御するものが考えられており、例えば、特開平１１−１６４３２１号公報には、圧縮された画像信号を復号する画像復号装置において、電源電圧が一定レベル以下に低下したとき、表示モードをカラー表示モードからモノクロ表示モードに切り替えるものが開示されている。
【００１１】
【特許文献１】
特開平１１−１６４３２１号公報
【００１２】
【発明が解決しようとする課題】
ところが、上記のようにバッテリの出力電圧に応じてデータ再生装置を制御する方法では、バッテリの出力電圧が低下すると、表示モードなどが電力消費が抑えられるよう切り替えられるため、ユーザにとって重要なデータであっても再生の品質が劣化してしまう。また、バッテリの出力電圧が通常のレベルである場合には、重要でないデータであっても、必要以上の高品質のデータ再生処理が行われ、これによりバッテリの電力を無駄に消費するといった問題がある。
【００１３】
本発明は、上記のような課題を解決するためになされたものであり、マルチメディア符号化データを受信して該データの復号及び再生を行う際、再生されるデータの内容などに応じて電力の消費を適切に削減することができ、これによりバッテリーからの電力供給により、動画配信サービスなどを長時間利用することができるデータ再生装置及びデータ再生方法を得ることを目的とする。
【００１４】
【課題を解決するための手段】
この発明に係るデータ再生装置は、バッテリーから供給される電力により動作し、マルチメディアデータの符号化データを受信して再生するデータ再生装置であって、上記符号化データを受信する受信部と、受信された符号化データを復号して復号データを出力する復号部と、該復号データに基づいて映像または音声の出力を行う出力部と、上記受信部、復号部、及び出力部の１以上の動作の制限を、上記マルチメディアデータの属性に応じて、上記バッテリー電力の消費が抑えられるよう行う制御部とを備え、上記制御部は、上記マルチメディアデータの属性に基づいて、上記受信部、復号部、及び出力部のうちのいずれの動作を制限可能であるか判定し、動作制限が可能と判定されたもののうちの、上記データ再生装置のより入力端近くに位置するものの動作を制限することを特徴とするものである。
【００１９】
この発明は、ネットワーク上の端末から、上記マルチメディアデータに関連する関連データを取得する関連データ取得部をさらに備え、上記制御部は、上記関連データが示す上記マルチメディアデータの属性に基づいて上記動作の制限を行うことを特徴とするものである。
【００２０】
この発明は、上記受信された符号化データを蓄積するデータ蓄積部をさらに備え、上記制御部は、上記データ蓄積部を、上記関連データに基づいて上記符号化データの一部のみを蓄積するよう制御することを特徴とするものである。
【００２１】
この発明は、上記制御部は、上記データ蓄積部の制御を、上記符号化データに含まれる映像符号化データと音声符号化データのうち、いずれかのデータのみを蓄積するよう行うことを特徴とするものである。
【００２２】
この発明は、ネットワーク上の端末から、上記マルチメディアデータに関連する関連データを取得する関連データ取得部と、ユーザの嗜好を表す嗜好データを記録した嗜好データ記録部と、上記関連データと上記嗜好データ記録部に記録した嗜好データとに基づいて、上記受信された符号化データの重要度を判定する判定部とをさらに備え、上記制御部は、上記判定部により判定された符号化データの重要度に基づいて、上記動作の制限を行うことを特徴とするものである。
【００２４】
この発明は、上記制御部は、上記バッテリー電力の残量に応じて、上記動作の制御を行うことを特徴とするものである。
【００２５】
この発明は、上記出力部は、上記復号データに基づいて画像表示を行うものであり、上記制御部は、上記出力部の動作の制限を、上記画像表示の際の輝度レベルが制限されるよう行うことを特徴とするものである。
【００２６】
この発明は、上記制御部は、上記符号化データに含まれる映像符号化データのうち、一部のフレームに対するデータを復号あるいは出力するよう、上記動作の制限を行うことを特徴とするものである。
【００２７】
この発明は、上記制御部は、上記符号化データに含まれる映像符号化データと音声符号化データのうち、いずれかのデータのみを受信、復号、出力するよう、上記動作の制限を行うことを特徴とするものである。
【００２８】
この発明は、上記制御部は、上記マルチメディアデータの属性に基づいて、上記符号化データの、優先度の高いデータのみを復号、あるいは出力するよう、上記動作の制限を行うことを特徴とするものである。
【００２９】
この発明は、上記符号化データは、上記マルチメディアデータを基本層と付加層とに区分して階層的に符号化して得られた階層符号化データであり、上記制御部は、上記符号化データの、上記基本層に対応するデータのみを受信、復号、あるいは出力するよう、上記動作の制限を行うことを特徴とするものである。
【００３０】
この発明は、上記受信された符号化データを蓄積するデータ蓄積部をさらに備え、上記制御部は、上記データ蓄積部を、上記マルチメディアデータの属性に基づいて、上記符号化データの、上記基本層に対応する符号化データのみを蓄積するよう制御することを特徴とするものである。
【００３１】
この発明に係るデータ再生方法は、バッテリーから供給される電力により、マルチメディアデータの符号化データを受信して再生するデータ再生方法であって、上記符号化データを受信する受信ステップと、受信された符号化データを復号して復号データを生成する復号ステップと、該復号データに基づいて映像または音声の出力を行う出力ステップと、上記受信、復号、及び出力の１以上の動作を、上記マルチメディアデータの属性に応じて、上記バッテリー電力の消費が抑えられるよう制限する制御ステップとを含み、上記制御ステップでは、上記マルチメディアデータの属性に基づいて、上記受信、復号、及び出力のうちのいずれの動作を制限可能であるか判定し、動作制限が可能と判定された１以上の動作のうち、より先に行われる動作を制限することを特徴とするものである。
【００３２】
この発明は、ネットワーク上の端末から、上記マルチメディアデータに関連する関連データを取得する関連データ取得ステップと、上記関連データと嗜好データ記録部に記録されている嗜好データとに基づいて、上記受信された符号化データの重要度を判定する判定ステップとをさらに含み、上記制御ステップは、上記判定ステップにより判定された符号化データの重要度に基づいて、上記受信、復号、及び出力の１以上の動作を制限することを特徴とするものである。
【００３３】
この発明に係るプログラムは、バッテリーから供給される電力により、マルチメディアデータの符号化データを受信して再生する処理を、コンピュータに実行させるプログラムであって、上記符号化データを受信する受信ステップと、受信された符号化データを復号して復号データを生成する復号ステップと、該復号データに基づいて映像または音声の出力を行う出力ステップと、上記受信、復号、及び出力の１以上の動作を、上記マルチメディアデータの属性に応じて、上記バッテリー電力の消費が抑えられるよう制限する制御ステップとを含み、上記制御ステップでは、上記マルチメディアデータの属性に基づいて、上記受信、復号、及び出力のうちのいずれの動作を制限可能であるか判定し、動作制限が可能と判定された１以上の動作のうち、より先に行われる動作を制御することを特徴とするものである。
【００３４】
【発明の実施の形態】
以下、本発明の実施の形態について説明する。
（実施の形態１）
図１は、本発明の実施の形態１によるデータ再生装置を説明するためのブロック図である。
【００３５】
本実施の形態１のデータ再生装置１００ａは、映像、音声、およびテキストなどのマルチメディアデータを符号化して得られるマルチメディアデータストリーム（以下、マルチメディア符号化データあるいは符号化データともいう。）Ｍｄを受信して再生するデータ再生処理を、バッテリーからの電力供給により行うものであり、このデータ再生装置１００ａは、具体的には、ＰＤＡ（Personal Digital Assistance）などの情報端末や、マルチメディアデータストリームを受信可能な携帯電話などである。ここで、マルチメディア符号化データは、映像，音声，及びテキストなどのコンテンツの符号化データに加えて、ヘッダ情報などデータ伝送のための種々の付加情報を含むものとする。また、マルチメディア符号化データは、例えば、コンテンツの符号化データを格納したパケット及び上記付加情報を格納したパケットから構成されている。さらに、マルチメディア符号化データは、映像符号化データ，音声符号化データ，及びテキスト符号化データなどの符号化データが多重化された多重符号化データである場合もあるが、以下では、主として、上記マルチメディア符号化データが多重符号化データではない場合について説明する。
【００３６】
すなわち、上記実施の形態１のデータ再生装置１００ａは、マルチメディア符号化データＭｄを受信して再生するデータ再生部１１０ａと、電源としてのバッテリーが搭載され、該データ再生部１１０ａにバッテリーの電力Ｂｐを供給する電源供給部１６とを有する携帯端末である。なお、該電源供給部１６は、従来のデータ再生装置１００の電源供給部１０５と同一のものである。ここで、電源供給部１６に搭載されるバッテリーは、通常の乾電池のように充電できないものであっても、あるいは充電可能なものであってもよい。
【００３７】
このデータ再生装置１００ａのデータ再生部１１０ａは、サーバＳＡからの符号化データＭｄを受信する動作を、制御信号Ｃｔ11に基づいて行う受信部１１と、該受信部１１の出力（受信した符号化データ）ＲＭｄを一時的に記憶するメモリ１２と、該メモリ１２から読み出された符号化データＲＭｄを復号して、復号データ（マルチメディアデータ）Ｄｄを出力する復号処理を、制御信号Ｃｔ13に基づいて行う復号部１３と、該復号部１３からの復号データ（マルチメディアデータ）Ｄｄに従って、画像表示などの映像出力あるいは音声出力を行う再生動作を、制御信号Ｃｔ14に基づいて行う映像音声出力部１４と、サーバＳＡに対するコンテンツ（マルチメディア符号化データ）の送信要求などの制御メッセージＳｍｄ及びＲｍｄの交換を、制御信号Ｃｔ26に基づいて行うセッション管理部２６とを有している。なお、上記受信部１１は、上記マルチメディア符号化データとして、音声符号化データ，映像符号化データ，及びテキスト符号化データが多重化されている多重符号化データを受信した場合は、該多重符号化データから、音声符号化データ，映像符号化データ，及びテキスト符号化データを分離して出力する。
【００３８】
上記データ再生部１１０ａは、ユーザ操作により操作信号Ｓｏｐを出力する入力部２４と、該入力部２４からの操作信号Ｓｏｐ及び入力されるマルチメディア符号化データＭｄのデータ構造に基づいて、受信部１１，復号部１３，及び映像音声出力部１４の少なくとも１つの動作を、バッテリー電源供給部１６から供給される電力の消費が抑えられるよう制限する再生制御部１５ａとを有している。
【００３９】
ここで、受信部１１は、無線通信路を介してマルチメディア符号化データＭｄを受信するものであっても、あるいは有線通信路を介してマルチメディア符号化データＭｄを受信するものであってもよい。また、上記映像音声出力部１４は、従来のデータ再生装置１００の映像音声出力部１０４と同様、例えば、スピーカなどを含む音声出力部（図示せず）や画像表示を行う液晶モニタなどの表示部（図示せず）などを有している。
【００４０】
また、上記動作制御部１５ａは、上記入力部２４からの操作信号Ｓｏｐにより、動作制限を行う制限モードと、動作制限を行わない非制限モードが設定されるものであり、制限モードが設定されている状態では、符号化データＭｄのデータ構造に応じて、入力部２４からの操作信号Ｓｏｐにより指定される種々の動作制限処理が行われるよう、上記各部１１，１３，１４を制御するものである。
例えば、入力された符号化データの構造によっては、受信部１１の動作を制限することができない場合がある。
【００４１】
具体的には、ＲＴＰ（Real Time Streaming Protocol）を使用する際には、受信パケットに含まれる識別情報などにより、パケットに含まれるデータが映像データ，あるいは音声データであるか識別可能であるため、受信動作を制限することができる。一方、ＨＴＴＰ（Hyper Text Transfer Protocol）を使用して、映像及び音声のデータが多重化されている多重データ（ファイルデータ）をダウンロードするような場合には、受信部１１では、映像データと音声データとを分離できないため、受信動作を制限することができない。
【００４２】
その場合には、動作制御部１５ａは、復号部１３及び映像音声出力部１４のうちの１つあるいは両方に対する動作制限として、入力部２４からの操作信号Ｓｏｐにより指定される種類の動作制限を行う。
【００４３】
但し、上記再生制御部１５ａは、入力された符号化データＭｄのデータ構造が、上記受信部１１，復号部１３，及び映像音声出力部１４のすべての動作の制限が可能なものである場合でも、上記操作信号Ｓｏｐに応じて、各部１１，１３，１４のうちのいずれか１つ、あるいは２つの動作の制限を行うものであってもよい。
【００４４】
ここで、受信部１１での動作制限が可能か否かは、上記再生制御部１５ａにて、入力された符号化データＭｄにおけるパケットの識別子により判定される。なお、上記受信部１１での動作制限の可否は、上記マルチメディア符号化データが多重データ（ファイルデータ）である場合には、上記多重データを受信する際に、ファイルデータに含まれるヘッダ情報などにより判定される。また、ＨＴＴＰプロトコルを使用して上記ファイルデータがダウンロードされる場合には、上記受信部１１での動作制限の可否は、ＨＴＴＰのヘッダ情報を使用して判定してもよい。
【００４５】
以下、上記入力部２４でのユーザ操作により指定可能な動作制限の具体的な処理について具体的に説明する。
ここで、上記動作制限の具体的処理には、４つの制限処理、つまり、画像表示の際に輝度レベルを制限する処理（第１の動作制限処理）、再生するフレームを制限する処理（第２の動作制限処理）、音声あるいは映像の一方のみ再生する処理（第３の動作制限処理）、階層符号化処理が施されているマルチメディアデータに対して、基本層に対応するデータのみを再生する処理（第４の動作制限処理）が用いられ、以下、上記第１〜第４の動作制限処理を簡単に説明する。なお、上記マルチメディアデータに対する階層符号化処理は、該マルチメディアデータを基本層に対応するデータと付加層に対応するデータとに区分して階層的に符号化する処理である。
【００４６】
（１）第１の動作制限処理（輝度レベルの制限）
第１の動作制限処理は、映像音声出力部１４での画像表示の際に輝度レベルを、非制限時の輝度レベルより低いレベルとするものである。具体的には、この処理は、再生制御部１５ａが、その制御信号Ｃｔ14により、該映像音声出力部１４を、その画像表示の輝度レベルが制限輝度レベルとなるよう制御するものであり、これにより、電源供給部１６から供給されるバッテリー電力の消費が抑えられる。
【００４７】
ここで、この制限輝度レベルは、特に限定されるものではなく、例えば、予めデータ再生装置のデフォルト値として設定されている、制限モード時の輝度レベルでもよく、あるいは、ユーザ操作により入力部２４から入力された輝度レベルであってもよい。また、制限モード時の具体的な輝度レベルとしては、例えば、非制限モード時の輝度レベルの半分のレベル、あるいは画像表示を行わない０レベルなどがある。
【００４８】
（２）第２の動作制限処理（フレームの制限）
第２の動作制限処理は、復号部１３での符号化データの復号化処理、あるいは映像音声出力部１４での復号データの再生処理を、所定のフレームにのみ限定して行うものである。具体的には、この第２の動作制限処理が行われる場合には、再生制御部１５ａは、復号部１３を所定のフレームに対する復号化処理のみを行うよう制御するか、あるいは映像音声出力部１４を、所定のフレームに対する再生動作のみ行うよう制御する。ここで、再生制御部１５ａが上記復号部１３と映像音声出力部１４のいずれの動作を制御するかは、ユーザ設定に応じて決定される。但し、再生制御部１５ａが上記復号部１３と映像音声出力部１４のいずれの動作を制御するかは、端末にて一意に設定されていてもよい。
【００４９】
また、制限モードで再生する所定のフレームとして、どのようなフレームを選択するかについては、種々の場合が考えられる。例えば、ＭＰＥＧに対応した動画データには、Ｉフレーム、Ｂフレーム、及びＰフレームに対応するデータが含まれるが、制限モードでは、Ｉフレームに対応する符号化データのみを復号して再生することにより、表示される映像は少し荒くなるが、バッテリーからの電力の消費を抑えることができる。なお、このように再生するフレームを所定のフレームに限定する処理は、Ｉ，Ｐ，Ｂフレームのうちから選択する方法を用いるものに限らず、再生するフレームを、動画像を構成する複数のフレームの一部のフレームに制限するものであれば、その他の、再生すべきフレームを選択する方法を用いるものであってもよい。
【００５０】
（３）第３の動作制限処理（音声及び映像の一方のみ出力）
第３の動作制限処理は、受信部でのデータの受信、復号部１３でのデータの復号、あるいは映像音声出力部１４でのデータの出力を、音声及び映像の一方に対するものに制限するものである。具体的には、この第３の動作制限処理が行われる場合には、再生制御部１５は、マルチメディア符号化データに含まれる映像符号化データ及び音声符号化データのうちいずれかの一方のデータのみが再生されるよう、受信部１１，復号部１３，映像音声出力部１４のいずれか１つの動作を制限する。このように再生するデータを音声データあるいは映像データの一方に制限することにより、映像と音声の両方を再生する場合に比べて、バッテリーからの電力の消費を抑えることができる。
【００５１】
（４）第４の動作制限処理（マルチメディアが階層符号化されている場合の制限）
マルチメディア符号化データは、マルチメディアデータの階層符号化により得られたものである場合がある。このような場合には、第４の動作制限処理を用いることができる。
【００５２】
例えば、マルチメディアデータが動画像を表すものである場合に、その動画像は複数のフレームから構成されている。このようなマルチメディアデータに対する階層符号化の一例として、動画像を構成する複数のフレームのうちの選択されたフレームのデータを、基本層に対応するデータとして符号化し、該選択された以外の残りのフレームを、基本層に対する付加層に対応するデータとして符号化するものがある。基本層に対応するフレームは、例えば、上記動画像を構成する複数のフレームを、９フレームおきに選択したものであり、該選択されたフレーム以外のフレームは、付加層に対応するフレームである。
【００５３】
また、マルチメディアデータが、背景画像に前景画像を重ね合わせた合成画像を表すものである場合は、例えば、マルチメディアデータに対する階層符号化処理では、背景画像に対応するデータが基本層に対応するデータとして符号化され、前景画像に対応するデータが、上記基本層に対する付加層に対応するデータとして符号化される。ここで、具体的には、背景画像は、風景の画像であり、前景画像は、背景画像の手前で動く人物などの画像である。
【００５４】
そして、第４の動作制限処理では、再生制御部１５ａは、マルチメディア符号化データに含まれる基本層に対応する符号化データのみが再生されるよう、受信部１１，復号部１３，映像音声出力部１４のいずれか１つの動作を制限する。このような動作制限を行った場合、再生される映像などの質は低下するが、バッテリーからの電力の消費を抑えることができる。
【００５５】
また、上記第１〜第４の動作制限処理は、いくつかを組み合わせて行ってもよい。
例えば、データ再生装置の制限モードでの動作は、第１の動作制限処理と第２の動作制限処理とを組み合わせたもの、つまりＩフレームのデータのみ復号化し、Ｉフレームの画像表示を、通常の輝度レベルの半分の輝度レベルで行うものであってもよい。
【００５６】
また、データ再生装置の制限モードでの動作は、第２の動作制限処理と第３の動作制限処理とを組み合わせたもの、つまりビデオデータにおけるＩフレームのデータのみ復号化，再生し、音声は再生しないものとしてもよい。
【００５７】
また、データ再生装置の制限モードでの動作は、第１の動作制限処理と第４の動作制限処理とを組み合わせたもの、つまり合成画像の背景画像に対応するデータのみ復号化し、背景画像の表示を、通常の輝度レベルの半分の輝度レベルで行うものとしてもよい。
【００５８】
また、データ再生装置の制限モードでの動作は、第１の動作制限処理、第２の動作制限処理，及び第４の動作制限処理を組み合わせたもの、つまり合成画像の背景画像のＩフレームに対応するデータのみ復号化し、背景画像の表示を、通常の輝度レベルの半分の輝度レベルで行うものとしてもよい。
【００５９】
次に動作について説明する。
この実施の形態１のデータ再生装置１００ａでは、そのデータ再生部１１０ａを構成する各部１１〜１４，１５ａ，２４，２６は、電源供給部１６から供給されるバッテリーの電力Ｂｐにより動作する。
【００６０】
また、この実施の形態１のデータ再生装置１００ａでは、ユーザにより、動作モードとして、制限モードと非制限モードの一方のモードが設定される。また、制限モードが設定された場合には、さらに、上記４つの動作制限処理のうちのいずれの動作制限処理を行うかが、ユーザにより設定される。
【００６１】
具体的には、ユーザが入力部２４に対して、上記動作モード及び具体的な動作制限処理を設定する操作を行うと、該入力部２４から該ユーザ操作に応じた操作信号Ｓｏｐが再生制御部１５ａに出力され、再生制御部１５ａは、データ再生装置１００ａの動作モードを決定する。つまり、再生制御部１５ａは、上記操作信号Ｓｏｐに応じて、データ再生装置１００ａの動作モードを制限モードと非制限モードの一方とし、さらに、データ再生装置１００ａの動作モードが制限モードとされた場合には、上記操作信号Ｓｏｐに応じて、具体的な動作制限処理を、上記４つの動作制限処理の少なくとも１つとする。
【００６２】
そして、ユーザにより、所定のコンテンツ（マルチメディアデータ）の符号化データを取得するための入力部２４の操作が行われると、該入力部２４からは、該操作に対応した操作信号Ｓｏｐが再生制御部１５ａに出力される。すると、該再生制御部１５ａは、セッション管理部２６を制御信号Ｃｔ26により、マルチメディア符号化データの取得を行うよう制御する。
【００６３】
つまり、セッション管理部２６は、該制御信号Ｃｔ26に基づいて、コンテンツ要求メッセージ（GET http://www.news.net/sport.mp4）ＳｍｄをサーバＳＡに送信する（時刻Ｔ＝ｔa1）。この要求メッセージＳｍｄがサーバＳＡに受信されると、サーバＳＡは、この要求メッセージＳｍｄに対する応答メッセージ（HTTP/1.1 200 OK）Ｒｍｄを再生端末（データ再生装置）１００ａに対して送信し（時刻Ｔ＝ｔa2）、その後、マルチメディア符号化データＭｄを再生端末（データ再生装置）１００ａに対して送信する（時刻Ｔ＝ｔa3）。
【００６４】
該データ再生装置１００ａは、サーバＳＡから送信されたマルチメディア符号化データＭｄを受信すると、ユーザにより設定されている動作モードに従って、該マルチメディア符号化データＭｄを再生する。
【００６５】
以下、このデータ再生装置１００ａのデータ再生動作について詳しく説明する。
まず、このデータ再生装置１００ａの動作モードが非制限モードである場合について説明する。この場合は、従来のデータ再生装置１００と全く同様な動作が行われる。
【００６６】
つまり、サーバＳＡからマルチメディア符号化データＭｄが上記データ再生装置１００ａに送信されると、データ再生部１１０ａは、上記マルチメディア符号化データＭｄの再生を行う。
【００６７】
具体的には、受信部１１は、上記サーバＳＡからのマルチメディア符号化データ（以下符号化データともいう。）Ｍｄを受信し、受信された符号化データＲＭｄがメモリ１２に格納される。復号部１３は、該メモリ１０２から読み出された符号化データＲＭｄを復号化して復号データＤｄを出力する。そして、映像音声出力部１４は、該復号データ、つまり復号されたマルチメディアデータＤｄに基づいて、音声出力あるいは画像表示を行う。
【００６８】
次に、このデータ再生装置１００ａの動作モードが制限モードである場合について説明する。
この場合は、サーバＳＡからマルチメディア符号化データＭｄが上記データ再生装置１００ａに送信されると、データ再生部１１０ａは、マルチメディア符号化データＭｄのデータ構造、及びユーザにより指定されている動作制限処理に応じて、上記受信部１１，復号部１３及び映像音声出力部１４の動作制限を行いつつ、上記マルチメディア符号化データＭｄの再生を行う。
【００６９】
図２(b)は、データ再生部１１０ａの再生制御部１５ａにより行われる上記各部の動作制限の処理の流れを示している。
つまり、データ再生部１１０ａの再生制御部１５ａは、入力されたマルチメディア符号化データＭｄのデータ構造、及びユーザにより設定されている動作制限処理に基づいて、受信部１１に対する動作制限が可能か否かを判定する（ステップＳ１）。
【００７０】
具体的には、ステップＳ１では、再生制御部１５ａは、入力されたマルチメディア符号化データＭｄのデータ構造が、受信部１１にて音声データと映像データの識別が可能なものであるか否か、及びマルチメディア符号化データＭｄが階層符号化されたものであって、基本層のデータと付加層のデータとを識別可能なものであるか否かを判定する。また、ステップＳ１では、再生制御部１５ａは、ユーザにより指定されている動作制限処理が受信部１１で行うことができるものであるか否かを判定する。
【００７１】
例えば、第３の動作制限処理（つまり音声データ及び映像データの一方のみを受信する動作制限処理）、及び第４の動作制限処理（つまり階層符号化されたマルチメディアデータに含まれる基本層のデータのみを受信する動作制限処理）は、受信部で行うことができるものである。一方、第１の動作制限処理（輝度レベルの制限）及び第２の動作制限処理（再生するフレームの制限）は、受信部１１にて行うことができるものではない。
【００７２】
従って、入力されたマルチメディア符号化データＭｄのデータ構造が、受信部１１にて音声データと映像データの識別が可能なものであり、かつユーザにより第３の動作制限処理が指定されている場合、あるいはマルチメディア符号化データＭｄが階層符号化された、基本層のデータと付加層のデータとを識別可能なものであり、かつユーザにより第４の動作制限処理が指定されている場合のみ、再生制御部１５ａは、受信部１１の動作を制限可能と判定する。
そして、受信部１１は、再生制御部１５ａからの制御信号Ｃｔ１１に基づいて、第３の動作制限処理あるいは第４の動作制限処理を行う（ステップＳ２）。
【００７３】
一方、再生制御部１５ａが、受信部１１の動作を制限可能でないと判定した場合は、再生制御部１５ａは、ユーザの設定内容に基づいて、復号部１３の動作を制限可能か否かを判定する（ステップＳ３）。
例えば、制限モードでの具体的な動作制限処理として、画像表示の際の輝度レベルを制限する第１の動作制限処理が指定されている場合は、復号部１３に対する動作制限は不可能であると判定される。
【００７４】
一方、制限モードでの具体的な動作制限処理として、再生すべきフレームを制限する第２の動作制限処理、あるいは音声及び映像の一方のみを再生する第３の動作制限処理が指定されている場合は、上記復号部１３に対する動作制限は可能であると判定される。
【００７５】
また、制限モードでの具体的な動作制限処理として、階層符号化されたマルチメディアデータの基本層に対応するデータのみを再生する第４の動作制限処理が指定されている場合は、入力されたマルチメディア符号化データが、階層符号化されたものであるか否かに応じて、上記復号部１３に対する動作制限の可否が判定される。つまり、入力されたマルチメディア符号化データが、階層符号化されたものである場合は、上記復号部１３に対する動作制限は可能であると判定され、入力されたマルチメディア符号化データが、階層符号化されたものでない場合は、上記復号部１３に対する動作制限は不可能であると判定される。
【００７６】
そして、再生制御部１５ａが、上記復号部１３に対する動作制限が可能であると判定した場合は、復号部１３は、再生制御部１５ａからの制御信号Ｃｔ１３に基づいて、第２ないし第４の動作制限処理のうちの少なくとも１つの動作制限処理を行う（ステップＳ４）。
一方、再生制御部１５ａが、復号部１３の動作を制限可能でないと判定した場合は、再生制御部１５ａは、ユーザの設定内容に基づいて、映像音声出力部１４の動作を制限可能か否かを判定する（ステップＳ５）。
【００７７】
例えば、制限モードでの具体的な動作制限処理として、画像表示の際の輝度レベルを制限する第１の動作制限処理、再生すべきフレームを制限する第２の動作制限処理、あるいは音声及び映像の一方のみを再生する第３の動作制限処理が指定されている場合は、上記映像音声出力部１４に対する動作制限は可能であると判定される。
【００７８】
また、具体的な動作制限処理として、階層符号化されたマルチメディアデータの基本層に対応するデータのみを再生する第４の動作制限処理が指定されている場合は、入力されたマルチメディア符号化データが、階層符号化されたものであるか否かに応じて、上記映像音声出力部１４に対する動作制限の可否が判定される。つまり、入力されたマルチメディア符号化データが、階層符号化されたものである場合は、上記映像音声出力部１４に対する動作制限は可能であると判定され、入力されたマルチメディア符号化データが、階層符号化されたものでない場合は、上記映像音声出力部１４に対する動作制限は不可能であると判定される。
【００７９】
そして、再生制御部１５ａが、ユーザにより指定された具体的な動作制限処理を、上記受信部１１，復号部１３，及び映像音声出力部１４のいずれによっても行うことができないと判定した場合は、該再生制御部１５ａは、受信部１１，復号部１３，及び映像音声出力部１４が、通常の動作、つまり非制限モードにおける動作を行うよう制御する。
【００８０】
このように、本実施の形態１のデータ再生装置１００ａでは、マルチメディアデータの符号化データＭｄを受信する受信部１１と、受信した符号化データを復号する復号部１３と、復号されたマルチメディアデータに基づいて画像表示あるいは音声出力を行う映像音声出力部１４とを備え、上記各部１１，１３，１４でのバッテリー電力Ｂｐの消費が抑制されるよう、入力される符号化データのデータ構造、及びユーザの設定に応じて、受信部１１，復号部１３，及び映像音声出力部１４の１以上の動作の制限を行うので、バッテリ駆動の携帯端末にて、バッテリー電力の消費削減が、マルチメディアデータのデータ構造に応じた適切な動作制限により行われることとなり、マルチメディアデータの再生を長時間にわたって行うことができる効果がある。
【００８１】
（実施の形態２）
図３は本発明の実施の形態２によるデータ再生装置を説明するブロック図である。
この実施の形態２のデータ再生装置１００ｂは、上記実施の形態１のデータ再生装置１００ａのデータ再生部１１０ａに代えて、該データ再生部１１０ａと同様、マルチメディアデータの再生処理を制限モードと非制限モードのいずれかで行うとともに、受信されたマルチメディア符号化データＲＭｄをバッテリ電力の残量及びユーザ操作に応じて蓄積するデータ再生部１１０ｂを備えたものである。
【００８２】
つまり、このデータ再生装置１００ｂのデータ再生部１１０ｂは、サーバＳＡからの符号化データＭｄを受信する受信部１１と、該受信部１１の出力ＲＭｄを一時的に記憶するメモリ１２と、該メモリ１２から読み出された符号化データＲＭｄを復号する復号部１３と、該復号部１３からの復号データＤｄに従って画像表示あるいは音声出力を行う映像音声出力部１４と、サーバＳＡに対する制御メッセージＳｍｄ及びＲｍｄの交換を行うセッション管理部２６と、ユーザ操作に応じた操作信号Ｓｏｐを出力する入力部２４とを有している。ここで、上記受信部１１，映像音声出力部１４，セッション管理部２６及び入力部２４は、実施の形態１のものと全く同一のものである。
【００８３】
そして、このデータ再生装置１００ｂのデータ再生部１１０ｂは、メモリ１２に一時的に記録された符号化データＲＭｄを制御信号Ｃｔ１５に基づいてデータＲＭｄ２として蓄積するとともに、該制御信号Ｃｔ１５に基づいて、蓄積した符号化データＲＭｄ２を符号化データＲＭｄ３として上記復号部１３に出力する蓄積部２５と、上記入力部２４からの操作信号Ｓｏｐ、入力されるマルチメディアデータストリームＭｄのデータ構造、及びバッテリー電力の残量を示すバッテリモニタ信号Ｍｂｐに基づいて、受信部１１，復号部１３，及び映像音声出力部１４の少なくとも１つの動作を、バッテリー電源供給部１６から供給される電力の消費が抑えられるよう制限するとともに、上記バッテリモニタ信号Ｍｂｐ及び入力部２４ｂからのユーザ操作信号Ｓｏｐに基づいて、上記蓄積部２５がメモリ１２からの符号化データＲＭｄ２を蓄積する動作を制御する再生制御部１５ｂとを有している。
【００８４】
次に動作について説明する。
この実施の形態２のデータ再生装置１００ｂでは、上記メモリ１２に記憶されている符号化データＲＭｄ２を蓄積部２５に蓄積する処理、及び該蓄積部２５から符号化データＲＭｄ３を復号部１３に出力する処理以外のデータ処理は、上記実施の形態１と同様に行われる。
【００８５】
つまり、この実施の形態２のデータ再生装置１００ｂでは、ユーザにより、制限モードと非制限モードの一方のモードが動作モードとして設定される。また、制限モードが設定された場合には、さらに、上記実施の形態１で示した４つの動作制限処理のうちのいずれの動作制限処理を行うかが、ユーザにより設定される。
【００８６】
そして、ユーザ操作に応じて、コンテンツ要求メッセージＳｍｄがサーバＳＡに送信されると、サーバＳＡからは、この要求メッセージＳｍｄに対する応答メッセージＲｍｄに続いて、マルチメディア符号化データＭｄが再生端末（データ再生装置）１００ｂに対して送信される。
【００８７】
該データ再生装置１００ｂは、サーバＳＡから送信されたマルチメディア符号化データＭｄを受信すると、ユーザにより設定されている動作モードに従って、該マルチメディア符号化データＭｄを再生する。
【００８８】
まず、このデータ再生装置１００ｂの動作モードが非制限モードである場合は、このデータ再生装置１００ｂでは、従来のデータ再生装置１００と全く同様な動作が行われる。
【００８９】
また、データ再生装置１００ｂの動作モードが制限モードである場合は、データ再生部１１０ｂは、実施の形態１のデータ再生部１１０ａと同様に上記受信部１１，復号部１３及び映像音声出力部１４の動作を制限する処理、及び、バッテリーモニタ信号Ｍｂｐ及びユーザ操作に基づいて、蓄積部２５に符号化データＲＭｄ２を蓄積する処理を行いつつ、上記マルチメディア符号化データＭｄに対する再生を行う。
【００９０】
図４は、データ再生部１１０ｂの再生制御部１５ｂにより行われる上記各部の動作制限の処理の流れを示している。
つまり、データ再生部１１０ｂの再生制御部１５ｂは、実施の形態１のデータ再生部１１０ａの再生制御部１５ａと同様に、入力されたマルチメディア符号化データＭｄのデータ構造、及びユーザにより設定されている動作制限処理の種類に基づいて、受信部１１に対する動作制限が可能か否かを判定する（ステップＳ１）。そして、再生制御部１５ｂが、受信部１１の動作を制限可能であると判定した場合は、再生制御部１５ｂからの制御信号Ｃｔ１１に基づいて、受信部１１では、第３の動作制限処理あるいは第４の動作制限処理が行われる（ステップＳ２）。
【００９１】
一方、再生制御部１５ｂが、受信部１１の動作を制限可能でないと判定した場合は、再生制御部１５ｂは、ユーザにより指定されている動作制限処理の種類に基づいて、復号部１３の動作を制限可能か否かを判定する（ステップＳ３）。
なお、この実施の形態２のデータ再生部１１０ｂで行われる、上記ステップＳ１〜Ｓ３の処理は、実施の形態１のものと全く同一である。
【００９２】
そして、再生制御部１５ｂが、上記復号部１３に対する動作制限が可能であると判定した場合は、再生制御部１５ａは、制御信号Ｃｔ１３により、復号部１３に対する動作制限処理として、第２ないし第４の動作制限処理のうちの少なくとも１つの動作制限処理を行うとともに、上記メモリ１２に記憶されたデータを蓄積部２５に蓄積する動作を、バッテリモニタ信号Ｍｂｐ及びユーザ操作に応じて制御する（ステップＳ４ｂ）。
【００９３】
ここでは、復号部１３の動作は、該入力部２４からの操作信号Ｓｏｐ、入力されるマルチメディア符号化データＭｄのデータ構造だけでなく、バッテリー電力の残量を示すバッテリモニタ信号Ｍｂｐにも基づいて行われる。また、上記メモリ１２に記憶されたデータを蓄積部２５に蓄積する動作は、バッテリモニタ信号Ｍｂｐ及びユーザ操作に応じて行われる。
【００９４】
つまり、バッテリー電力の残量が十分である場合は、実施の形態１と同様、復号化１３でのデータ復号処理が行われ、動作モードに応じて復号部１３に対する動作制限処理が行われる。
【００９５】
一方、バッテリー電力の残量が少なく、受信したマルチメディアデータの符号化データ（ここでは音声データ及び映像データ）をすべて最後まで再生できない場合は、図５(a)に示すポップアップメッセージ（Ｉ）Ｍｐｕ１がデータ再生装置１００ｂの表示部（図示せず）に表示され、復号部１３での符号化データの復号処理は行われずに、データを蓄積部２５に蓄積する動作が行われる。
【００９６】
また、バッテリー電力の残量が少なく、受信したマルチメディアデータ（ここでは音声データ及び映像データ）の符号化データをすべて最後まで蓄積できない場合は、図５(b)に示すポップアップメッセージ（II）Ｍｐｕ２がデータ再生装置１００ｂの表示部（図示せず）に表示される。
そして、ポップアップメッセージ（II）Ｍｐｕ２で示された、３つの蓄積方法ののうち、ユーザにより選択された蓄積方法によりマルチメディアデータに対する蓄積処理が行われる。
【００９７】
つまり、ユーザにより、第１の蓄積方法（１．受信した映像，音声データを途中まで蓄積する）が選択された場合は、例えば、バッテリ電力の残量がバッテリ駆動の限界値に達するまで、受信した映像，音声データの蓄積が行われる。
【００９８】
ユーザにより、第２の蓄積方法（２．受信した映像，音声データをビットレートを落として最後まで蓄積する）が選択された場合は、受信した符号化データのデータサイズ及びその時点のバッテリ残量に応じたビットレートで、受信した符号化データの再符号化が行われた後、再符号化データの蓄積が行われる。
【００９９】
ここで、マルチメディアデータの蓄積の際のビットレートの算出は以下の方法で行われる。
まず、バッテリ電力の残量に基づいて、蓄積可能なデータサイズＳｄｓが決定される。
【０１００】
次に、上記決定された蓄積可能なデータサイズＳｄｓと、受信したコンテンツ（マルチメディアデータ）の再生時間長Ｔｐｌｙとから、マルチメディアデータを蓄積する際のビットレートＢｒｔを、以下の式（１）で算出する。
Ｂｒｔ  ＝  Ｓｄｓ／Ｔｐｌｙ  ・・・（１）
【０１０１】
ここで、上記ビットレートＢｒｔは、映像データと音声データの両方に対するものであるので、音声データに対するストリームと映像データに対するストリームとを別々に蓄積する場合は、このビットレートＢｒｔに基づいて、音声データに対するビットレートと映像データに対するビットレートとが決定される。
【０１０２】
また、再生時間長Ｔｐｌｙは、マルチメディアデータがMP４ファイル形式のデータである場合は、該マルチメディアデータに対応する符号化データのヘッダ領域を参照することにより取得することができる。
【０１０３】
ユーザにより、第３の蓄積方法（３．蓄積しない）が選択された場合は、データを蓄積部２５に蓄積する動作は行われない。
なお、上記蓄積方法の選択肢は、上述した３つの方法に限らず、上記蓄積方法の選択肢には、映像データ（スポーツに関するもの）のみを最後まで蓄積する方法や音声データのみを最後まで蓄積する方法を含めてもよい。
【０１０４】
一方、再生制御部１５ｂが、復号部１３の動作を制限可能でないと判定した場合は、再生制御部１５ｂは、ユーザの設定内容（動作制限処理の種類）に基づいて、映像音声出力部１４の動作を制限可能か否かを判定する（ステップＳ５）。
【０１０５】
また、再生制御部１５ｂが、上記映像音声出力部１４に対する動作制限が可能であると判定した場合は、再生制御部１５ｂは、制御信号Ｃｔ１４により、映像音声出力部１４に対する動作制限処理として、ユーザにより指定されている動作制限処理を行うとともに、上記メモリ１２に記憶されたデータを蓄積部２５に蓄積する動作を、バッテリモニタ信号Ｍｂｐ及びユーザ操作に応じて制御する（ステップＳ６ｂ）。
【０１０６】
ここでは、映像音声出力部１４の動作は、該入力部２４からの操作信号Ｓｏｐ、入力されるマルチメディアデータストリームＭｄのデータ構造だけでなく、バッテリー電力の残量を示すバッテリモニタ信号Ｍｂｐにも基づいて行われる。また、上記メモリ１２に記憶されたデータを蓄積部２５に蓄積する動作は、バッテリモニタ信号Ｍｂｐ及びユーザ操作に応じて、上記ステップ４ｂと同様に行われる。
【０１０７】
つまり、バッテリー電力の残量が十分である場合は、実施の形態１と同様、映像音声出力部１でのデータ処理処理が行われ、動作モードに応じて映像音声出力部１４に対する動作制限処理が行われる。
【０１０８】
一方、バッテリー電力の残量が少なく、受信したマルチメディア符号化データ（ここでは音声符号化データ及び映像符号化データ）をすべて最後まで再生できない場合は、図５(a)に示すポップアップメッセージ（Ｉ）Ｍｐｕ１がデータ再生装置１００ｂの表示部（図示せず）に表示され、映像音声出力部１４での画像表示あるいは音声出力は行われずに、符号化データを蓄積部２５に蓄積する動作が行われる。
【０１０９】
また、バッテリー電力の残量が少なく、受信したマルチメディア符号化データ（ここでは音声符号化データ及び映像符号化データ）の符号化データをすべて最後まで蓄積できない場合は、図５(b)に示すポップアップメッセージ（II）Ｍｐｕ２がデータ再生装置１００ｂの表示部（図示せず）に表示される。
【０１１０】
そして、ポップアップメッセージ（II）Ｍｐｕ２で示された、３つの蓄積方法ののうち、ユーザにより選択された蓄積方法によりマルチメディア符号化データの蓄積が行われる。
【０１１１】
また、再生制御部１５ｂが、映像音声出力部１４の動作を制限可能でないと判定した場合、つまり、ユーザにより指定された具体的な動作制限処理を、上記受信部１１，復号部１３，及び映像音声出力部１４のいずれによっても行うことができないと判定した場合は、該再生制御部１５ｂは、受信部１１，復号部１３，及び映像音声出力部１４が、通常の動作、つまり動作非制限モードにおける動作を行うよう制御する。
【０１１２】
また、この場合、再生制御部１５ｂは、上記メモリ１２に記憶されたデータを蓄積部２５に蓄積する動作を、バッテリモニタ信号Ｍｂｐ及びユーザ操作に応じて制限する（ステップＳ７ｂ）。
このステップＳ７ｂでの蓄積部に対する動作制限は、上記ステップＳ４ｂにおけるものと同様に行われる。
【０１１３】
また、上記蓄積部２５に蓄積された符号化データＲＭｄ２は、バッテリの充電後に、ユーザ操作により蓄積部２５から蓄積データＲＭｄ３として読み出され、該読み出されたデータは復号部１３にて復号され、復号されたデータは映像音声出力部１４にて再生される。
【０１１４】
このように、本実施の形態２のデータ再生装置１００ｂでは、マルチメディア符号化データＭｄを受信する受信部１１と、受信した符号化データＲＭｄを復号する復号部１３と、復号されたマルチメディアデータに基づいて画像表示あるいは音声出力を行う映像音声出力部１４とを備えるとともに、受信したマルチメディア符号化データをバッテリ電力の残量及びユーザ操作に応じて蓄積する蓄積部２５を備え、上記実施の形態１と同様に上記受信部１１，復号部１３，及び映像音声出力部１４の１以上の動作の制限を行うとともに、受信したデータが蓄積部２５に蓄積される動作をバッテリ電力の残量及びユーザ操作に応じて制御するので、バッテリ駆動の携帯端末にて、電力消費を効果的に抑えて、動画配信サービスなどを長時間利用することが可能となる効果に加えて、バッテリ電力の残量に応じて、ユーザの望む蓄積方法で、受信したデータを蓄積部に蓄積しておき、バッテリの充電後に、該蓄積したデータを再生することが可能となる。
【０１１５】
（実施の形態３）
図６は、本発明の実施の形態３によるデータ再生装置を説明するブロック図である。
【０１１６】
この実施の形態３のデータ再生装置１００ｃは、実施の形態１のデータ再生装置１００ａのデータ再生部１１０ａに代えて、マルチメディア符号化データを再生する動作を、該マルチメディアデータに関連する関連データに基づいて制限するデータ再生部１１０ｃを備えたものである。
【０１１７】
このデータ再生部１１０ｃは、上記実施の形態１のデータ再生部１１０ａと同様、受信部１１，メモリ１２，復号部１３，映像音声出力部１４，セッション管理部２６，再生制御部１５ｃ，入力部２４を有しており、上記受信部１１，メモリ１２，復号部１３，映像音声出力部１４，入力部２４，及びセッション管理部２６は、実施の形態１のものと同一のものである。
【０１１８】
また、上記データ再生部１１０ｃは、サーバＳＡから送信された、上記マルチメディアデータの属性を示す関連データＤｒｅを受信する関連データ受信部１７と、該関連データ受信部１７の出力ＲＤｒｅを一時的に記憶する関連データメモリ１８とを有している。
【０１１９】
ここで、上記再生制御部１５ｃは、入力部２４からの操作信号Ｓｏｐに応じて、関連データＤｒｅ及びマルチメディアデータＭｄを取得するためのメッセージＳｍｄ及びＲｍｄの交換を、サーバＳＡとの間で行うとともに、該関連データＤｒｅに基づいて、マルチメディア符号化データのデータ構造に応じた、上記受信部１１，復号部１３，映像音声出力部１４の動作制限を行うものである。
【０１２０】
また、この実施の形態３のデータ再生装置１００ｃでの動作制限は、実施の形態１と同様、バッテリー電力の消費が抑えられるよう、受信部１１，復号部１３，及び映像音声出力部１４のうちの少なくとも１つの動作を制限するものであり、具体的には、実施の形態１で示した第１〜第４の動作制限処理のうちのユーザにより指定された処理を、マルチメディア符号化データのデータ構造に応じて行うものである。
【０１２１】
図７は、上記サーバＳＡから実施の形態３のデータ再生装置１００ｃへのデータの流れを示す図である。
該サーバＳＡは、マルチメディアデータの符号化データを格納したマルチメディア符号化データ格納部ＤＢｍと、上記関連データＤｒｅを格納した関連データ格納部ＤＢｒとを有している。再生端末としてのデータ再生装置１００ｃから関連データの要求メッセージが送信されると、サーバＳＡの関連データ格納部ＤＢrから関連データＤｒｅが読み出され、ネットワークＮを介して該データ再生装置１００ｃに伝送される。また、データ再生装置１００ｃからマルチメディア符号化データの要求メッセージが送信されると、サーバＳＡのマルチメディア符号化データ格納部ＤＢｍからマルチメディア符号化データＭｄが読み出され、ネットワークＮを介して該データ再生装置１００ｃに伝送される。ここでは、伝送プロトコルとして、ＨＴＴＰ／ＴＣＰ／ＩＰを用いているが、伝送プロトコルは、データ再生装置１００ｃがサーバＳＡからデータを取得できるものであれば、その他のプロトコルであってもよい。
【０１２２】
図９は、上記関連データＤｒｅの記述Ｄｒｅｃの一例について説明するための図である。
関連データＤｒｅは、属性を表す固有の文字列と、属性に対する属性値との組み合わせにより表現される。
例えば、図９に示す関連データＤｒｅの記述Ｄｒｅｃにおける１行目の文字列Ｉａｆは、ファイルの属性を示す情報（ファイル属性情報）であり、この記述Ｄｒｅｃがマルチメディアデータの内容に関する記述であることを示している。上記記述Ｄｒｅｃにおける２行目の文字列は、データの属性を示す情報（データ属性情報）Ｉａｄであり、関連データＤｒｅが、ネットワーク上の“www.news.net/”という場所に蓄積された“sport.mp4”というマルチメディア符号化データに関するものであることを示す。
また、マルチメディア符号化データに対応する関連データＤｒｅの時系列での変化に対しては、時間の属性を用いることにより対応することができる。
【０１２３】
例えば、図９に示す記述Ｄｒｅｃにおける３行目の文字列Ｉａｔ１は、時間属性を示す情報（時間属性情報）である。この時間属性情報Ｉａｔ１は、文字列〔time〕を用いて、記号列〔<time〕と記号列〔>〕で囲まれる部分に、マルチメディアデータの、再生時刻０秒から３０秒までの間の部分に対応する情報が記述されていることを示している。また、上記記述Ｄｒｅｃにおける４行目の文字列Ｉａｃ１は、内容属性を示す情報（内容属性情報）であり、文字列〔priority〕が示す内容に関する値がハイレベル〔high〕であること示している。そして、図９に示す記述Ｄｒｅｃでは、上記時間属性情報Ｉａｔ１及び内容属性情報Ｉａｃ１により、マルチメディアデータの、再生時刻０秒から３０秒までの間の部分の重要度が高いことが示されている。
【０１２４】
同様にして、図９に示す記述Ｄｒｅｃにおける時間属性情報Ｉａｔ２及び内容属性情報Ｉａｃ２により、マルチメディアデータの３０秒から６０秒までの部分の重要度が低いこともわかる。
【０１２５】
なお、マルチメディアデータの内容の変化に伴い、関連データメモリ１８に記憶されている関連データを更新する必要がある場合は、関連データ受信部１７により、サーバＳＡから新しい関連データが取得され、関連データメモリ１８の記憶されている関連データは、新たに取得した関連データに書き換えられる。
【０１２６】
次に動作について説明する。
まず、データ再生装置１００ｃがマルチメディアデータと関連データとを取得する動作について説明する。
例えば、映像データ及び音声データを含む、ＭＰ４ファイル形式のマルチメディアデータ“sport.mp4”と、これに対応する関連データ“sport.meta”とをＨＴＴＰを用いて取得する場合には、まず、データ再生装置１００ｃはその関連データ“sport.meta”を取得するためのコマンド（要求メッセージ）をサーバＳＡに送信し、該データ再生装置１００ｃは、該要求メッセージに応じてサーバから送信された関連データ“sport.meta”を受信する。なお、データ再生装置が取得するデータは、マルチメディアデータ“sport.meta”の符号化データであるが、説明の都合上、単にマルチメディアデータ“sport.meta”ともいう。
【０１２７】
次に、データ再生装置１００ｃは、マルチメディアデータ“sport.mp4”を取得するためのコマンド（要求メッセージ）をサーバＳＡに送信し、該データ再生装置１００ｃは、該要求メッセージに応じてサーバＳＡから送信されたマルチメディアデータ“sport.mp4”を受信する。
【０１２８】
なお、サーバＳＡからデータ再生装置１００ｃへの関連データとマルチメディアデータとの送信は、上記のように別々に行う場合に限らず、関連データとマルチメディアデータを、１つのファイルに対応するデータとしてまとめて行うようにしてもよい。
【０１２９】
図８は、データ再生装置１００ｃとサーバＳＡとの間で行われるメッセージ交換及びデータの送受信を、時間の経過に従って示しており、以下、関連データ及びマルチメディアデータを取得する動作について詳しく説明する。
【０１３０】
ユーザにより、所定のコンテンツ（マルチメディアデータ）及びこれに対応する関連データＤｒｅを取得するための入力部２４の操作が行われ、該入力部２４から、該操作に対応した操作信号Ｓｏｐが再生制御部１５ｃに出力されると、該再生制御部１５ｃは、制御信号Ｃｔ26により、セッション管理部２６に対して、関連データの取得、及びマルチメディアデータの取得を順次行うよう指令する。
【０１３１】
すると、上記セッション管理部２６は、関連データ要求メッセージ（GET http://www.news.net/sport.meta）ＳｍｒをサーバＳＡに送信する（時刻Ｔ＝ｔｃ１）。この要求メッセージＳｍｒがサーバＳＡに受信されると、サーバＳＡは、この要求メッセージＳｍｒに対する応答メッセージ（HTTP/1.1 200 OK）Ｒmrを再生端末（データ再生装置）１００ｃに対して送信し（時刻Ｔ＝ｔｃ２）、その後、関連データＤｒｅを再生端末（データ再生装置）１００ｃに対して送信する（時刻Ｔ＝ｔｃ３）。該送信された関連データＤｒｅは、再生端末１００ｃの関連データ受信部１７にて受信される。
【０１３２】
続いて、上記セッション管理部２６は、コンテンツ要求メッセージ（GET http://www.news.net/sport.mp4）ＳｍｄをサーバＳＡに送信する（時刻Ｔ＝ｔｃ４）。この要求メッセージＳｍｄがサーバＳＡに受信されると、サーバＳＡは、この要求メッセージＳｍｄに対する応答メッセージ（HTTP/1.1 200 OK）Ｒｍｄを再生端末（データ再生装置）１００ｃに対して送信し（時刻Ｔ＝ｔｃ５）、その後、マルチメディアデータの符号化データ（マルチメディア符号化データ）Ｍｄを再生端末（データ再生装置）１００ｃに対して送信する（時刻Ｔ＝ｔｃ６）。
【０１３３】
次に、データ再生装置１００ｃがマルチメディア符号化データを関連データに基づいて再生する動作について説明する。
以下、このデータ再生装置１００ｃに対して制限モードが設定されている場合の動作について説明する。
【０１３４】
関連データ受信部１７は、サーバＳＡから送信された関連データＤｒｅを受信し、該受信された関連データＲｒｅは関連データメモリ１８に格納される。
再生制御部１５ｃは、関連データメモリ１８に格納された関連データＲｒｅに基づいて、受信部１１，復号部１３，映像音声出力部１４の少なくとも１つの動作の制限を行う。
【０１３５】
このときの動作制限の具体的な処理としては、実施の形態１で説明した４つの動作制限処理のうち、ユーザ設定、あるいはデータ再生装置のデフォルト設定により指定される処理が行われる。なお、受信部１１の動作制限は、入力されるマルチメディア符号化データのデータ構造によって可能である場合と不可能である場合があるので、この実施の形態３では、音声及び映像の一方のみを再生する処理（第３の動作制限処理）を行う場合のように、受信部１１の動作を制限することにより再生処理を制限する場合は、予め、上記マルチメディア符号化データのデータ構造に基づいて、受信部での動作制限が可能か否かが判定される。
【０１３６】
以下は、第１の動作制限処理（画像表示の際の輝度レベルを制限する処理）が設定されている場合の動作制限について説明する。この場合は、実施の形態１で説明したように、映像音声出力部１４での動作制限のみ可能であるため、上記関連データＤｒｅに基づいて、映像音声出力部１４の動作の制限が行われる。
【０１３７】
例えば、関連データＤｒｅが図９に示すものである場合には、再生制御部１５ｃは、マルチメディアデータの再生時刻０秒から３０秒までの部分は、重要度が高いため、再生時刻の開始から３０秒が経過するまでは、映像音声出力部１４を、画像表示を通常の輝度レベルで行うよう制御する。また、マルチメディアデータの再生時刻３０秒から６０秒までの間の部分は、重要度が低いため、再生制御部１５ｃは、再生開始後３０秒が経過した時点から、６０秒が経過するまでの間は、映像音声出力部１４を、画像表示を、通常の輝度レベルより低いレベルで行うよう制御する。
【０１３８】
なお、この実施の形態３のデータ再生装置１００ｃでは、その動作モードがユーザにより非制限モードに設定されている場合には、上記関連データに基づいた動作制限は行われず、実施の形態１のデータ再生装置１００ａの非制限モードにおける動作と全く同じ動作が行われる。
【０１３９】
このように本実施の形態３のデータ再生装置１００ｃでは、マルチメディアデータの符号化データＭｄを受信する受信部１１と、受信した符号化データＲＭｄを復号する復号部１３と、復号されたマルチメディアデータＤｄに基づいて画像表示あるいは音声出力を行う映像音声出力部１４とに加えて、マルチメディアデータに関連する関連データＤｒｅを受信する関連データ受信部１７を備え、上記関連データＤｒｅとして、マルチメディアデータの、再生時刻に従って区分された個々の部分毎に設定された重要度を示すものを取得し、該関連データＤｒｅに基づいて、マルチメディア符号化データの重要な部分に対しては、再生品質が高く保持されるよう再生処理を施し、マルチメディア符号化データの、あまり重要でない部分に対しては、映像音声出力部１４の動作制限により、再生品質をある程度落として再生処理を施すので、マルチメディアデータの再生を、電力消費を抑えつつ、その重要な部分については再生品質が高くなるよう行うことができる。
【０１４０】
つまり、バッテリ駆動の携帯端末にて、電力消費を効果的に抑えて、動画配信サービスなどを長時間利用することが可能となる効果に加えて、再生端末でのマルチメディアデータの再生動作を、その内容に応じて制限することができる。
【０１４１】
従って、マルチメディアデータの再生を、該マルチメディアデータに含まれる映像データあるいは音声データの、ユーザにとって重要な部分の再生品質を低下させることなく、しかも電力消費を抑えつつ行うことができる。
【０１４２】
なお、本実施の形態３では、動作制限の具体的処理として、第１の動作制限処理（画像表示の際に輝度を制限する処理）を行う場合を示したが、動作制限の具体的処理は、これに限るものではなく、実施の形態１で説明した第１〜第４の動作制限処理のいくつかを組み合わせたものであってもよい。
【０１４３】
例えば、マルチメディアデータの重要度の高い部分の再生時には、データ再生部１１０ｃの映像音声出力部１４に対する動作制限を行わずに画像表示を行い、マルチメディアデータの重要度が中程の部分を再生する際には、上記映像音声出力部１４による画像表示を通常レベルより低い輝度レベルで行い、マルチメディアデータの重要度が低い部分を再生する際には、映像音声出力部１４による画像表示を、音声の出力を行わず行うようにしてもよい。
【０１４４】
また、上記実施の形態３では、上記関連データＤｒｅが、マルチメディアデータの、再生時刻に従って区分された個々の部分毎に設定された重要度を示すものである場合について説明したが、上記関連データは、マルチメディアデータに関する重要度以外の関連事項を示す内容属性の情報を含むものであってもよい。
【０１４５】
例えば、関連データがマルチメディアデータの“カテゴリー”を示す内容属性情報を含んでいる場合には、再生制御部１５ｃは、関連データに基づいて、マルチメディアデータが、その重要度が低く、かつそのカテゴリーがニュースであるものと判定された場合には、該マルチメディアデータの再生時には、受信部１１の動作制限により、映像出力（画像表示）及び音声出力のうちの音声出力のみを行い、また、上記関連データに基づいて、マルチメディアデータが、その重要度が低く、かつそのカテゴリーがスポーツであると判定された場合には、受信部１１の動作制限により、映像出力（画像表示）及び音声出力のうちの画像表示のみを行うようにしてもよい。
【０１４６】
なお、上記実施の形態３では、データ再生装置として、受信部１１の動作制限によりマルチメディア符号化データの再生処理を制限する場合は、予め上記マルチメディア符号化データのデータ構造に基づいて、受信部での動作制限が可能か否かを判定するものを示したが、関連データにより、マルチメディア符号化データが、受信部での動作制限を行うことができるものか否かが示されている場合には、データ再生装置は、上記関連データのみに基づいて、受信部の動作制限、あるいはその他の復号部及び映像音声出力部の動作制限を行うものであってもよい。
【０１４７】
また、上記実施の形態３では、データ再生装置が、マルチメディア符号化データとこれに対応する関連データとを同じサーバＳＡから取得する場合を示したが、マルチメディア符号化データとこれに対応する関連データとが異なるサーバに格納されている場合は、データ再生装置は、それぞれのデータを、異なるサーバから取得することとなる。
【０１４８】
（実施の形態４）
図１０は、本発明の実施の形態４によるデータ再生装置を説明するブロック図である。
この実施の形態４のデータ再生装置１００ｄは、実施の形態１のデータ再生装置１００ａのデータ再生部１１０ａに代えて、マルチメディアデータを再生する動作を、該マルチメディアデータに関連する関連データＤｒｅとデータ再生装置１００ｄに予め記録されている、ユーザの嗜好を示す嗜好データＤとから判定された重要度に基づいて、制限するデータ再生部１１０ｄを備えたものである。
【０１４９】
このデータ再生部１１０ｄは、上記実施の形態３のデータ再生部１１０ｃと同様、受信部１１，メモリ１２，復号部１３，映像音声出力部１４，セッション管理部２６，関連データ受信部１７，関連データメモリ１８ｄ，再生制御部１５ｄ，及び入力部２４ｄを有しており、上記受信部１１，メモリ１２，復号部１３，映像音声出力部１４，関連データ受信部１７及びセッション管理部２６は、実施の形態３のものと同一のものである。
【０１５０】
また、上記データ再生部１１０ｄは、ユーザの嗜好を示す嗜好データＤｆｖを記録する嗜好データメモリ２０と、上記関連データメモリ１８ｄに格納されている関連データに含まれる、ユーザの取得したコンテンツの種類や同じコンテンツを取得した回数などに関する情報Ｒre２を取得して、ユーザの嗜好を示す嗜好データＤｆｖを生成するとともに、入力部２４ｄからユーザ操作により入力された、ユーザの嗜好に関する情報Ｄｉｐから、ユーザの嗜好を示す嗜好データＤｆｖを生成し、該生成した嗜好データＤｆｖを上記嗜好データメモリ２０に出力する登録部２３とを有している。
【０１５１】
さらに、上記データ再生部１１０ｄは、該マルチメディアデータに関連する関連データＤｒｅに含まれるマルチメディアデータの属性情報Ｄｒｅ1と、上記嗜好データメモリ２０に格納されている嗜好データＤｆｖとから、マルチメディアデータの重要度を判定し、該重要度を示す情報（重要度情報）Ｉｓを上記再生制御部１５ｄに出力する判定部２１を有している。
【０１５２】
上記再生制御部１５ｄは、入力部２４ｄからの操作信号Ｓｏｐに応じて、関連データＤｒｅ及びマルチメディア符号化データＭｄを取得するためのメッセージＳｍｄ及びＲｍｄの交換を、サーバＳＡとの間で行うとともに、該重要度情報Ｉｓに基づいて、上記受信部１１，復号部１３，映像音声出力部１４の動作制限を行うものである。
【０１５３】
また、この実施の形態４のデータ再生装置１００ｄでの、バッテリー電力の消費を抑えるための動作制限は、実施の形態１と同様、受信部１１，復号部１３，及び映像音声出力部１４のうちの少なくとも１つの動作を制限するものであり、具体的には、実施の形態１で示した第１〜第４の動作制限処理のうちのユーザにより指定された処理を、上記重要度情報Ｉｓに基づいて行うものである。
【０１５４】
図１１は、関連データの記述の一例について説明するための図である。
図１１に示す関連データＤｒｅの記述Ｄｒｅｄにおける１行目の文字列Ｉａｆは、図９に示すファイル属性情報と同じものであり、この記述Ｄｒｅｄがマルチメディアデータの内容に関する記述であることを示している。また、上記記述Ｄｒｅｄにおける２行目の文字列Ｉａｄは、図９に示すデータ属性情報と同じものであり、関連データＤｒｅが、ネットワーク上の“www.news.net/”という場所に蓄積された“sport.mp4”というマルチメディアデータに関するものであることを示している。さらに、図１１に示す記述Ｄｒｅｄにおける３行目及び７行目の文字列Ｉａｔ１及びＩａｔ２は、図９に示す時間属性情報と同一のものである。
【０１５５】
そして、関連データにおけるマルチメディアデータの内容分類を行う方法は多数考えられ、ここでは図１１に示す記述Ｄｒｅｄにおける４行目の文字列〔category〕Ｉac１は、内容属性を示す情報（内容属性情報）であり、その内容属性の値がスポーツ〔sports〕であることにより、この内容属性情報Ｉａｃ１は、このマルチメディアデータが、スポーツ関連の情報であることを示している。
【０１５６】
また、図１１に示す記述Ｄｒｅｄにおける５行目の文字列〔data〕Ｉac２は、内容属性を示す情報（内容属性情報）であり、その内容属性の値が〔最近（latest）〕であることにより、この内容属性情報Ｉａｃ２は、このマルチメディアデータが、最新の情報であることを示している。
【０１５７】
従って、上記時間属性情報Ｉａｔ１，内容属性情報Ｉａｃ１及びＩａｃ２から、マルチメディアデータの、再生時刻０秒から３０秒までの間の部分が、最近のスポーツに関する情報であることが分かる。
【０１５８】
また、同様にして、図１１に示す記述Ｄｒｅｄにおける時間属性情報Ｉａｔ２，内容属性情報Ｉａｃ３及びＩａｃ４から、マルチメディアデータの３０秒から６０秒までの部分は、最近の天気に関する情報であることが分かる。
なお、関連データでは、マルチメディアデータを、優先度、対象とする年代、人気、地域、登場人物などを基準として分類して表すことが可能である。
【０１５９】
図１２は、嗜好データメモリ２０に格納されている嗜好データの一例を示す図である。
ユーザの嗜好に関するデータ（嗜好データ）も、マルチメディアデータに関連するデータ（関連データ）と同様、属性を表す固有の文字列と、属性に対する属性値との組み合わせにより記述される。
【０１６０】
図１２に示す嗜好データＤｆｖの記述Ｄｆｖｄの１行目の文字列＜UserPreference＞Ｉａｆｕは、ファイルの属性を示す情報（ファイル属性情報）であり、この記述Ｄｆｖｄが、ユーザの嗜好に関する記述であることを示している。この嗜好データでは、ユーザの嗜好が嗜好の属性（種類）にしたがって分類され、各属性の属性値ＡＶ(x)毎に、ユーザの嗜好の優先順位を示す嗜好情報値ＦＶ(y)が設定されている。ここでは、具体的な属性値ＡＶ(x)はＡＶ(1)〜ＡＶ(7)であり、また、具体的な嗜好情報値ＦＶ(y)は、ＦＶ(1)〜ＦＶ(7)である。
【０１６１】
例えば、嗜好属性情報Ｉａｆｖ１が示す嗜好属性＜category＞の属性値ＡＶ(1)，ＡＶ(2)，ＡＶ(3)，ＡＶ(4)には、それぞれ“sports”、“finance”、“politics”、“weather”が割り当てられており、嗜好属性情報Ｉａｆｖ２が示す嗜好属性＜date＞の属性値ＡＶ(5)，ＡＶ(6)，ＡＶ(7)には、それぞれ“latest”、“new”、“old”が割り当てられている。
【０１６２】
そして、各属性値ＡＶ(1)〜ＡＶ(7)に対するユーザの嗜好の優先順位が、嗜好情報値ＦＶ(y)という指標により設定されている。図１２に示す嗜好データの記述Ｄｆｖｄでは、属性値ＡＶ(1)，ＡＶ(2)，ＡＶ(3)，ＡＶ(4)，ＡＶ(5)，ＡＶ(6)，ＡＶ(7)には、ユーザの嗜好の優先順位を示す嗜好情報値ＦＶ(1)（＝３），ＦＶ(2)（＝３），ＦＶ(3)（＝２），ＦＶ(4)（＝１），ＦＶ(5)（＝３），ＦＶ(6)（＝２），ＦＶ(7)（＝１）が設定されている。ここで、嗜好情報値ＦＶ(y)は、数値が大きいものほど優先順位が高いことを示す。
【０１６３】
また、図１２で示される記述Ｄｆｖｄに相当するユーザの嗜好を登録する方法としては、（ｉ）予めユーザが直接ユーザの嗜好情報を入力して、ユーザの嗜好を示す嗜好データを嗜好データメモリ２０に格納する方法（第１の登録方法）、（ii）データ再生装置１００ｄが関連データに基づいてユーザの嗜好を推定し、推定された嗜好に対応する嗜好データを嗜好データメモリ２０に格納する方法（第２の登録方法）、（iii）ユーザの嗜好を示す嗜好データをネットワーク上の所定のサーバから取得し、該取得した嗜好データを嗜好データメモリ２０に格納する方法（第３の登録方法）などがある。
【０１６４】
但し、この実施の形態４のデータ再生装置１００ｄでは、ユーザの嗜好を登録する方法として、上記第１の登録方法と第２の登録方法とが用いられ、以下、これらの登録方法について具体的に説明する。
【０１６５】
（ｉ）第１の登録方法の具体的説明
ユーザが、入力部２４ｄにてキーボードなどを用いてユーザの嗜好に関する情報の入力操作を行うと、該入力部２４ｄからは、ユーザの嗜好に関する情報Ｄｉｐが登録部２３に出力される。すると、登録部２３は、入力部２４ｄから出力された情報Ｄｉｐを示す嗜好データＤｆｖを嗜好データメモリ２０に出力し、嗜好データメモリ２０には、登録部２３からの嗜好データＤｆｖが保持される。
【０１６６】
なお、この嗜好データメモリ部２０は、データ再生装置１００ｄに組み込まれたメモリチップにより構成されているものに限らず、データ再生装置１００ｄに対して着脱可能に装着された記録メディアに、上記嗜好データＤｉｐを書き込みあるいは読み出すデータ記録部であってもよい。この場合、ユーザによる嗜好データの記録メディアへの書き込みは、パーソナルコンピュータなどを用いて行ってもよい。例えば、上記記録メディアがパーソナルコンピュータに装着され、パーソナルコンピュータのデータ入力部の操作によりユーザの嗜好に関する情報の入力が行われると、上記記録メディアにパーソナルコンピュータでの処理により嗜好データが書き込まれる。そして、このように嗜好データが記録された記録メディアが上記データ再生装置に装着されると、該データ再生装置では、該記録メディアに記録された嗜好データが、上記データ再生装置の所定の処理部にて利用される。
【０１６７】
（ii）第２の登録方法の具体的説明
登録部２３は、関連データメモリ１８に格納されている関連データＲｒｅから、ユーザが視聴したコンテンツ（マルチメディアデータ）の種類や回数に関する情報Ｒｒｅ２を取得して嗜好データメモリ２０に出力する。すると、嗜好データメモリ２０では、その種類や回数に応じてユーザの嗜好を示す嗜好データＤｆｖが更新される。つまり、嗜好データメモリ２０に格納されている嗜好データＤｆｖは、上記登録部２３により、関連データメモリ１８ｄに格納されている関連データの更新に伴って、自動的に更新されることとなる。
【０１６８】
次に動作について説明する。
ここでは、この実施の形態４のデータ再生装置１００ｄには、ユーザによりユーザの嗜好を示す情報Ｄｉｐがすでに登録されており、この情報Ｄｉｐは嗜好データＤｆｖとして嗜好データメモリ２０に格納されている場合の動作について説明する。
【０１６９】
なお、上記ユーザの嗜好に関する情報の登録は、上述したように、ユーザが、入力部２４ｄにてキーボードなどを用いてユーザの嗜好に関する情報の入力操作を行うことにより行われる。
【０１７０】
この実施の形態４のデータ再生装置１００ｄでは、受信部１１，メモリ１２，復号部１３，映像音声出力部１４，関連データ受信部１７，及びセッション管理部２６の動作は、実施の形態３のデータ再生装置１００ｃのものと同様に行われる。
【０１７１】
すなわち、データ再生装置１００ｄでは、セッション管理部２６がサーバＳＡに対して、関連データの要求メッセージＳｍｒを送信すると、サーバＳＡからは関連データＤｒｅが送信される。また、セッション管理部２６がサーバＳＡに対して、マルチメディアデータの要求メッセージＳｍｄを送信すると、サーバＳＡからは、マルチメディア符号化データＭｄが送信される。
【０１７２】
そして、データ再生装置１００ｄでは、サーバＳＡからのマルチメディア符号化データＭｄに対する再生処理が、関連データＤｒｅ及び嗜好データメモリ２０に格納されている嗜好データＤｆｖに基づいて行われる。
【０１７３】
以下、このデータ再生装置１００ｄに対して制限モードが設定されている場合の動作について説明する。
関連データ受信部１７は、サーバＳＡから送信された関連データＤｒｅを受信し、該受信された関連データＲｒｅは関連データメモリ１８に格納される。
【０１７４】
再生制御部１５ｄは、関連データメモリ１８に格納された関連データＲｒｅのマルチメディアの属性情報Ｒｒｅ１及び嗜好データメモリ２０に格納されている嗜好データＤｆｖから得られるマルチメディアデータの重要度Ｉｓに基づいて、受信部１１，復号部１３，映像音声出力部１４の少なくとも１つの動作の制限を行う。
【０１７５】
ここでは、具体的な動作制限処理として、マルチメディアデータの重要度に応じて、第２の動作制限処理（再生するフレームを制限する処理）、第３の動作制限処理（音声あるいは映像の一方のみを再生する処理）のいずれかが行われるよう、ユーザにより設定されている。具体的には、図１５に示すように、マルチメディアデータの重要度の高い部分Ｖａｃ１の再生時には、全フレームのデータを復号する通常の復号処理Ｏｃｏｎｔ１が行われ、重要度が中程度の部分Ｖａｃ２の再生時には、Ｉフレームのデータのみを復号する第２の動作制限処理Ｏｃｏｎｔ２が行われ、重要度が低い部分Ｖａｃ３の再生時には、音声のデータのみ復号する第３の動作制限処理Ｏｃｏｎｔ３が行われる。
【０１７６】
以下、再生制御部１５ｄによる動作制限処理を具体的に説明する。
図１３は、判定部２１及び再生制御部１５ｄでの処理のフローを示す。
まず、判定部２１は、関連データメモリ１８に記憶されている関連データＲｒｅに含まれる属性情報Ｒｒｅ１である内容属性情報Ｉａｃ１〜Ｉａｃ４を取得し、その取得した内容属性情報が示す属性と一致した属性を示す嗜好属性情報が、嗜好データメモリ２０に格納されている嗜好データＤｆｖに含まれているか否かを、取得した内容属性情報の示す属性毎に判定する。
【０１７７】
そして、嗜好データＤｆｖに、関連データＲｒｅの内容属性情報と属性が一致する嗜好属性情報が含まれている場合には、判定部２１は、判定対象となる属性に対する嗜好情報値ＦＶ(y)を取得し、それ以外の場合には、予め用意しておいた値ＦＶ（fix）を嗜好情報値ＦＶ(y)として用いる。また、関連データＤｒｅに複数の内容属性情報Ｉａｃが含まれており、上記関連データに含まれる内容属性情報と嗜好データに含まれる嗜好属性情報との間での属性の一致判定を、複数の属性について行った場合には、判定の対象となったすべての属性に対する嗜好情報値ＦＶ(y)の総和を計算する（ステップＳ１０１）。
【０１７８】
次に、判定部２１は、嗜好情報値ＦＶ(y)の総和と、判定対象となる属性の個数に応じて予め設定されている閾値とを比較して、マルチメディアデータの重要度を決定し、重要度を示す情報（重要度情報）Ｉｓを出力する（ステップＳ１０２）。
【０１７９】
図１４は、上記判定部２１での重要度の判定に用いる閾値の一例を示している。
図１４に示す例では、関連データＤｒｅに含まれる内容属性情報Ｉacの数Ｎacが２つの場合、嗜好情報値ＦＶ(y)の総和ΣＦＶ(y)が５以上（５≦ΣＦＶ(y)）、３以上５未満（３≦ΣＦＶ(y)＜５）、３未満（ΣＦＶ(y)＜３）のときの重要度は、それぞれ、〔高〕レベルＨIs，〔中〕レベルＭIs，〔低〕レベルＬIsとなる。
【０１８０】
例えば、図１１に示す関連データＤｒｅの記述Ｄｒｅｄでは、時間属性情報Ｉat1，内容属性情報Ｉac１及び内容属性情報Ｉat２から、マルチメディアデータの、再生時刻０秒から３０秒までの間の部分が、最近のスポーツに関する情報であることが示されている。また、嗜好データＤｆｖの記述Ｄｆｖｄでは、上記内容属性情報Ｉac１及び内容属性情報Ｉac２に対応する、嗜好属性情報Ｉａｆｖ１が示す嗜好属性＜category＞の属性値ＡＶ(1)〔sports〕及び嗜好属性情報Ｉａｆｖ２が示す属性値ＡＶ(5)〔latest〕には、嗜好情報値ＦＶ(1)（＝３）及び嗜好情報値ＦＶ(5)（＝３）が割り当てられている。このため、ステップＳ１０１で計算された嗜好情報値の総和ΣＦＶ(y)（＝ＦＶ(1)＋ＦＶ(5)）は、６（＝３＋３）となる。
【０１８１】
また、この場合、判定対象となる属性の個数は、内容属性情報Ｉａｃ１が示す属性と内容属性情報Ｉａｔ２が示す属性の計２つであるため、判定部２１は、マルチメディアデータの、再生時刻０秒から３０秒までの間の部分の重要度は、〔高〕レベルＨｌｓと判定する。
【０１８２】
そして、再生制御部１５ｄは、判定部２１から出力される重要度情報Ｉｓに基づいて、復号部１３を、全フレームのデータが復号されるよう制御する（ステップＳ１０５）。
【０１８３】
また、判定部２１が、マルチメディアデータの、再生時刻０秒から３０秒までの間の部分の重要度が、〔中〕レベルと判定した場合は、再生制御部１５ｄは、判定部２１から出力される重要度情報Ｉｓに基づいて、復号部１３を、Ｉフレームのみのデータが復号されるよう制御し（ステップＳ１０４）、また、判定部２１が、マルチメディアデータの、再生時刻０秒から３０秒までの間の部分の重要度が、〔低〕レベルと判定した場合は、再生制御部１５ｄは、判定部２１から出力される重要度情報Ｉｓに基づいて、復号部１３を、音声データのみが復号されるよう制御する（ステップＳ１０３）。
【０１８４】
上記ステップＳ１０４及びＳ１０３での動作制限は、特定のデータのみ復号するものに限るものではなく、実施の形態１で説明したように、（１）輝度の変更、（２）フレームの制限、（３）音声、あるいは映像の制限、（４）階層符号化されている場合の制限などがあり、これらを組み合わせて用いてもよい。
【０１８５】
また、図１５は、この実施の形態４での再生制御部１５ｄによる動作の制限の切り替えの一例を示している。
この例では、マルチメディアデータの内容属性情報Ｉａｃの属性値が、３０秒ごとに、属性値〔sports〕Ｖat(1)，属性値〔weather〕Ｖat(2)，属性値〔music〕Ｖat(3)と順次変更されている。また、それらの内容属性値に対する重要度の判定結果がそれぞれ、〔高〕レベルＨＩｓ、〔中〕レベルＭＩｓ、〔低〕レベルＬＩｓであり、各判定された重要度に対する動作制限処理が、図１５に示されるように、全フレームの復号処理Ｏｃｏｎｔ１、Ｉフレームのみの復号処理Ｏｃｏｎｔ２、音声データのみの復号処理Ｏｃｏｎｔ３と設定されている。この場合には、再生制御部１５ｄは、再生開始から、３０秒が経過するごとに、復号部１３に対する動作制限処理を、全フレーム復号処理Ｏｃｏｎｔ１、Ｉフレームのみの復号処理Ｏｃｏｎｔ２、音声のみの復号処理Ｏｃｏｎｔ３の順に切り替える。
【０１８６】
このように、本実施の形態４のデータ再生装置１００ｄでは、マルチメディアデータに関連するデータである関連データＤｒｅを受信する関連データ受信部１７と、ユーザの嗜好に関する嗜好データＤｆｖを格納する嗜好データメモリ２０と、関連データと嗜好データとに基づいて、受信されたマルチメディア符号化データの重要度を判定する判定部２１と、その重要度に応じて、上記マルチメディア符号化データを再生する動作を制限する再生制御部１５ｄとを備えたので、実施の形態１と同様に、バッテリー１６からの電力消費を抑えることにより長時間のデータ再生が可能となる効果に加え、マルチメディアデータの再生動作の制限を、マルチメディアデータの内容、及びユーザの嗜好に応じて行うことができる。
【０１８７】
また、重要度がマルチメディアデータの再生開始からの時間の経過とともに変化する場合は、１つのマルチメディアデータに対する再生制限が、時間の経過とともに細かく変化することとなる。このため、マルチメディアデータの、スポーツ，天気予報，ニュースといった異なる内容に対応する部分に対して、ユーザが動作制限を設定する必要はない。
【０１８８】
なお、上記実施の形態４では、マルチメディアデータの重要度を判定する指標として、関連データに含まれる内容属性情報と属性が一致する嗜好属性情報の情報値の総和を用いたが、該指標には、関連データの内容属性情報と属性が一致する嗜好属性情報の情報値の平均値を用いてもよく、あるいは各内容属性情報ごとに、対応する嗜好属性情報の情報値に対して重み付けを行い、その重みの付けられた嗜好属性情報の情報値を用いてもよい。
【０１８９】
また、上記実施の形態４では、上記重要度の判定に用いる閾値は、図１４に示すように、予め、判定の対象となる属性の個数に応じて決定した固定値としているが、各マルチメディアデータに対する重要度の判定に用いる閾値は、予め決められた規則に従って算出した値としてもよい。
【０１９０】
さらに、上記実施の形態４では、重要度のレベルとして、３つのレベル、つまり高レベルＨｌｓ、中レベルＭＩｓ、低レベルＬＩｓが設定されている場合を示したが、重要度のレベルとしては、これらの３つのレベルに限らず、例えば５以上のレベルを設定してもよい。
【０１９１】
また、上記実施の形態４では、重要度の判定に用いる閾値は、重要度の判定の対象となる属性の個数（判定対象属性の個数）が１つである場合、判定対象属性の個数が２つである場合、判定対象属性の個数が３つである場合に分けて設定しているが、重要度の判定の閾値には、上記３つの場合以外の場合に対して設定した値を用いてもよい。
【０１９２】
（実施の形態５）
図１６は、本発明の実施の形態５によるデータ再生装置を説明するブロック図である。
この実施の形態５のデータ再生装置１００ｅは、実施の形態４のデータ再生装置１００ｄのデータ再生部１１０ｄに代えて、マルチメディアデータを再生する動作を、該マルチメディアデータに関連する関連データＤｒｅと、データ再生装置１００ｄに格納されている、ユーザの嗜好を示す嗜好データＤｆｖとから判定された重要度に基づいて、制限するとともに、嗜好データＤｆａをネットワーク上のサーバＳＢから取得するデータ再生部１１０ｅを備えたものである。
【０１９３】
このデータ再生部１１０ｅは、上記実施の形態４のデータ再生部１１０ｄと同様、受信部１１，メモリ１２，復号部１３，映像音声出力部１４，再生制御部１５ｅ，関連データ受信部１７，関連データメモリ１８ｄ，嗜好データメモリ２０，登録部２３ｅ，入力部２４ｄ及びセッション管理部２６を有しており、上記受信部１１，メモリ１２，復号部１３，映像音声出力部１４，関連データ受信部１７，関連データメモリ１８ｄ，嗜好データメモリ２０，判定部２１，入力部２４ｄ及びセッション管理部２６は、実施の形態４のものと同一のものである。
【０１９４】
また、上記データ再生部１１０ｅは、嗜好データＤｆａをネットワーク上のサーバＳＢから取得する嗜好データ取得部２５を有している。
ここで、上記データ再生部１１０ｅの登録部２３ｅは、上記関連データメモリ１８ｄに格納されている関連データの、ユーザの取得したコンテンツの種類や同じコンテンツを取得した回数などに関する情報Ｒｒｅ２を取得して、ユーザの嗜好を示す嗜好データＤｆｖを生成するとともに、入力部２４ｄからユーザ操作により入力された、ユーザの嗜好に関する情報Ｄｉｐから、ユーザの嗜好を示す嗜好データＤｆｖを生成し、該生成した嗜好データＤｆｖを上記嗜好データメモリ２０に出力し、さらに嗜好データ取得部２５により取得された嗜好データＧｆａを上記嗜好データメモリ２０に出力するものである。
【０１９５】
上記再生制御部１５ｅは、入力部２４ｄからの操作信号Ｓｏｐに応じて、セッション管理部２６を、関連データＤｒｅ及びマルチメディアデータＭｄを取得するためのメッセージＳｍｒ，Ｓｍｄ及びＲｍｒ，Ｒｍｄの交換をサーバＳＡとの間で行うよう制御するものである。該再生制御部１５ｅは、入力部２４ｄからの操作信号Ｓｏｐに応じて、セッション管理部２６を、嗜好データＤｆａを取得するためのメッセージの交換を、他のサーバＳＢとの間で行うよう制御するものである。また、該再生制御部１５ｅは、該重要度情報Ｉｓに基づいて、上記受信部１１，復号部１３，映像音声出力部１４の動作制限を行うものである。
そして、本実施の形態５のデータ再生装置１００ｅにおけるその他の構成は、実施の形態４のものと同一である。
【０１９６】
次に動作について説明する。
この実施の形態５のデータ再生装置１００ｅの動作は、嗜好データを登録する処理として、上記実施の形態４で示した第１及び第２の登録処理に加えて、嗜好データをネットワーク上のサーバＳＢから取得して上記嗜好データメモリ２０に格納する第３の登録処理を行う点でのみ、上記実施の形態４の動作と異なっている。つまり、この実施の形態５のデータ再生装置１００ｅのその他の動作は、上記実施の形態４のデータ再生装置１００ｄのものと全く同一であり、以下、この実施の形態５のデータ再生装置１００ｅが第３の登録処理を行う動作について簡単に説明する。
【０１９７】
つまり、この実施の形態５のデータ再生装置１００ｅの再生制御部１５ｅは、入力部２４ｄからの操作信号Ｓｏｐに応じて、セッション管理部２６を、嗜好データＤｆａを取得するためのメッセージの交換を、他のサーバＳＢとの間で行うよう制御する。すると、セッション管理部２６とサーバＳＢとの間でのメッセージ交換により、サーバＳＢからは嗜好データＤｆａが送信される。
サーバＳＢから送信された嗜好データＤｆａは、嗜好データ取得部２５にて取得され、取得された嗜好データＧｆａは登録部２３ｅに供給される。
【０１９８】
登録部２３ｅは、入力部２４ｄから供給された嗜好情報Ｄｉｐ、及び関連データメモリ１８に格納されている関連データＤｒｅから得られた嗜好情報Ｒｒｅ２を嗜好データＤｆｖとして嗜好データメモリ２０に供給するとともに、嗜好データ取得部２５から供給された嗜好データＧｆａを嗜好データＤｆｖとして嗜好データメモリ２０に供給する。
【０１９９】
このように本実施の形態５では、上記実施の形態４のデータ再生部１１０ｄに代えて、該データ再生部１１０ｄでのデータ再生処理に加えて、所定のサーバＳＢに格納されているユーザの嗜好に関する嗜好データＤｆａを取得し、入力部２４ｄから供給された嗜好情報Ｄｉｐ、関連データＤｒｅから得られた嗜好情報Ｒｒｅ２、上記サーバＳＢから取得された嗜好データＧｆａに基づいて、上記マルチメディア符号化データを再生する動作を制限するデータ再生部１１０ｅを備えたので、実施の形態４と同様に、バッテリー１６からの電力消費を抑えることにより長時間のデータ再生が可能となる効果に加え、マルチメディアデータの再生動作の制限を、ネットワーク上のサーバから取得したユーザの嗜好データに応じて行うことができ、これによりマルチメディアデータの再生動作の制限を、よりユーザの嗜好に適したものとすることが可能となる。
【０２００】
なお、上記各実施の形態では、データ再生装置として、マルチメディアデータに対する再生処理の制限を、再生制御部１５ａ〜１５ｅが、データ再生部の受信部１１、復号部１３、及び映像音声出力部１４の少なくとも１つの動作を制限することにより行うものを示したが、上記データ再生装置は、サーバから供給されるマルチメディア符号化データが、該符号化データに含まれる音声符号化データ及び映像符号化データの一方に制限されるよう、データ要求を行うものであってもよい。
【０２０１】
例えば、実施の形態３のデータ再生装置１００ｃにて、マルチメディアデータの属性に基づいて、上記のようにサーバから供給されるマルチメディア符号化データが、該符号化データに含まれる音声符号化データ及び映像符号化データの一方に制限されるよう、データ要求を行う場合は、図１７に示すように、関連データＲｒｅを取得した後、マルチメディア符号化データの取得するためのメッセージＳｍｄ及びＲｍｄの交換を行う前に、サーバＳＡに対して、マルチメディア符号化データに含まれる映像符号化データと音声符号化データのいずれかの一方のデータのみを送信するように制限命令Ｓmcを送信する必要がある。
【０２０２】
また、上記各実施の形態では、ユーザによりデータ再生装置の動作モードとして制限モードが設定されている場合のみ、マルチメディアデータに対する再生処理を制限する場合を示したが、データ再生装置における、マルチメディアデータに対する再生処理（以下、データ再生処理ともいう。）を制限するか否かは、ユーザによる動作モードの設定に拘わらず、電源供給部１６のバッテリー電力の残量に応じて決定するようにしてもよい。
【０２０３】
つまり、このようなデータ再生装置では、ユーザがデータ再生装置の動作モードを省電力モード（制限モード）に設定していても、電源供給部１６のバッテリー電力の残量が一定基準以上である場合には、動作の制限は行われず、また、ユーザがデータ再生装置の動作モードを通常電力モード（非制限モード）に設定していても、電源供給部１６のバッテリー電力の残量が一定基準値より少ない場合には、動作の制限が行われる。
【０２０４】
また、上記実施の形態３あるいは実施の形態４のデータ再生装置では、判定部２１がマルチメディアデータに対する重要度が〔低〕レベルであると判定した場合でも、電源供給部１６のバッテリ電力の残量が基準値以上であるときには、上記重要度が〔中〕レベルと判定されたときの動作の制限を行ってもよい。
【０２０５】
さらに、上記実施の形態では、判定部２１の判定で用いる閾値は、予め設定された固定の値としているが、この閾値は、電源供給部のバッテリ電力の残量に応じて、重要度がより高いもの、例えば〔高〕レベルあるいは〔中〕レベルと判定される割合を増加させたり、逆に、重要度がより低いもの、例えば〔中〕レベルあるいは〔低〕レベルと判定される割合を増加するよう変更するようにしてもよい。
【０２０６】
さらに、上記実施の形態１〜５では、データ再生装置をハードウエアにより実現したものを示したが、これらの装置はソフトウエアにより実現してもよい。この場合、上記各実施の形態で示したデータ再生処理を行うためのプログラムをフレキシブルディスク等のデータ記憶媒体に記録しておくことにより、上記データ再生処理を、独立したコンピュータシステムにおいて構築することが可能となる。
【０２０７】
この場合、上記実施の形態１〜５のデータ再生装置を構成する、メモリ以外の回路要素による処理は、ソフトウエアにより実行すればよい。
【０２０８】
図１８は、上記実施の形態１〜５のデータ再生装置でのデータ再生処理をソフトウエアにより行うためのプログラムを格納した記録媒体、及び該記録媒体を含むコンピュータシステムを説明するための図である。
【０２０９】
図１８(a)は、フレキシブルディスクの正面からみた外観、断面構造、及びフレキシブルディスク本体を示し、図１８(b)は、該フレキシブルディスク本体の物理フォーマットの例を示している。
【０２１０】
上記フレキシブルディスクＦＤは、上記フレキシブルディスク本体ＤをフレキシブルディスクケースＦＣ内に収容した構造となっており、該フレキシブルディスク本体Ｄの表面には、同心円状に外周から内周に向かって複数のトラックＴｒが形成され、各トラックＴｒは円周方向に１６のセクタＳｅに分割されている。従って、上記プログラムを格納したフレキシブルディスクＦＤは、上記フレキシブルディスク本体Ｄの上に割り当てられた領域（セクタ）Ｓｅに、上記プログラムとしてのデータが記録されたものとなっている。
【０２１１】
また、図１８(c)は、フレキシブルディスクＦＤに上記プログラムを記録するための構成、及びフレキシブルディスクＦＤに格納したプログラムを用いてソフトウエアによるデータ処理を行うための構成を示している。
【０２１２】
上記プログラムをフレキシブルディスクＦＤに記録する場合は、コンピュータシステムＣｓから上記プログラムとしてのデータを、フレキシブルディスクドライブＦＤＤを介してフレキシブルディスクＦＤに書き込む。また、フレキシブルディスクＦＤに記録されたプログラムにより、上記実施の形態１〜５のデータ再生装置をコンピュータシステムＣｓ中に構築する場合は、フレキシブルディスクドライブＦＤＤによりプログラムをフレキシブルディスクＦＤから読み出し、コンピュータシステムＣｓにロードする。
【０２１３】
なお、上記説明では、データ記録媒体としてフレキシブルディスクを示したが、データ記録媒体として光ディスクを用いてもよく、この場合も上記フレキシブルディスクの場合と同様にソフトウェアによるデータ再生処理を行うことができる。さらに、上記データ記録媒体は上記光ディスクやフレキシブルディスクに限るものではなく、ＩＣカード、ＲＯＭカセット等、プログラムを記録できるものであればどのようなものでもよく、これらのデータ記録媒体を用いる場合でも、上記フレキシブルディスク等を用いる場合と同様にソフトウェアによるデータ再生処理を実施することができる。
【０２１４】
【発明の効果】
以上のように、本発明に係るデータ再生装置によれば、バッテリーから供給される電力により動作し、マルチメディアデータの符号化データを受信して再生するデータ再生装置であって、上記符号化データを受信する受信部と、受信された符号化データを復号して復号データを出力する復号部と、該復号データに基づいて映像または音声の出力を行う出力部と、上記受信部、復号部、及び映像音声出力部の１以上の動作の制限を、上記マルチメディアデータの属性に応じて、上記バッテリー電力の消費が抑えられるよう行う制御部とを備え、上記制御部は、上記マルチメディアデータの属性に基づいて、上記受信部、復号部、及び出力部のうちのいずれの動作を制限可能であるか判定し、動作制限が可能と判定されたもののうちの、上記データ再生装置のより入力端近くに位置するものの動作を制限することを特徴とするので、バッテリー駆動の再生端末では、バッテリー電力の消費の削減がマルチメディアデータの属性に応じた適切な動作制限により行われることとなり、これによりマルチメディアデータの再生を、重要なデータの再生品質を高く保持しつつ長時間にわたって行うことができる効果が得られる。
【０２１９】
本発明によれば、ネットワーク上の端末から、上記マルチメディアデータに関連する関連データを取得する関連データ取得部をさらに備え、上記制御部は、上記関連データが示す上記マルチメディアデータの属性に基づいて上記動作の制限を行うことを特徴とするので、バッテリー駆動の携帯端末にて、バッテリー電力の消費の削減が関連データに応じた適切な動作制限により行われることとなり、動画配信サービスなどを、マルチメディアデータの内容に応じて長時間利用することが可能となる。
【０２２０】
本発明によれば、上記受信された符号化データを蓄積するデータ蓄積部をさらに備え、上記制御部は、上記データ蓄積部を、上記関連データに基づいて上記符号化データの一部のみを蓄積するよう制御することを特徴とするので、例えば、符号化データの受信時にはバッテリー電力の消費が抑えられるよう、該符号化データの再生動作が制限された場合でも、バッテリーの充電後などバッテリー電力に余裕がある状態で、上記符号化データを、上記動作の制限を行うことなく再生することが可能となる。
【０２２１】
本発明によれば、上記制御部は、上記データ蓄積部の制御を、上記符号化データに含まれる映像符号化データと音声符号化データのうち、いずれかのデータのみを蓄積するよう行うことを特徴とするので、符号化データの受信時には、バッテリー電力の消費が抑えられるよう、映像符号化データ及び音声符号化データの一方のみが再生された場合でも、バッテリーの充電後などバッテリー電力に余裕がある状態で、受信時には再生されなかったデータの再生を行うことができる。
【０２２２】
本発明によれば、ネットワーク上の端末から、上記マルチメディアデータに関連する関連データを取得する関連データ取得部と、ユーザの嗜好を表す嗜好データを記録した嗜好データ記録部と、上記関連データと上記嗜好データ記録部に記録した嗜好データとに基づいて、上記受信された符号化データの重要度を判定する判定部とをさらに備え、上記制御部は、上記判定部により判定された符号化データの重要度に基づいて、上記動作の制限を行うことを特徴とするので、バッテリー駆動の再生端末にて、バッテリー電力の消費の削減がマルチメディアデータの重要度に応じた適切な動作制限により行われることとなり、動画配信サービスなどを、マルチメディアデータの重要度に応じて長時間利用することが可能となる。
【０２２４】
本発明によれば、上記制御部は、上記バッテリー電力の残量に応じて、上記動作の制御を行うことを特徴とするので、例えば、上記バッテリー電力の残量が少ない状態で、受信した符号化データの再生を行ってしまい、バッテリー電圧の低下によりデータ再生装置が使用不可能となるのを回避することができる。また、バッテリー電力の残量が十分である場合には、動作の制限を緩和して、高品質の再生映像及び再生音声を提供することができる。
【０２２５】
本発明によれば、上記出力部は、上記復号データに基づいて画像表示を行うものであり、上記制御部は、上記出力部の動作の制限を、上記画像表示の際の輝度レベルが制限されるよう行うことを特徴とするので、バッテリー電力の消費を抑えつつ画像表示を行うことができる。
【０２２６】
本発明によれば、上記制御部は、上記符号化データに含まれる映像符号化データのうち、一部のフレームに対するデータを復号あるいは出力するよう、上記動作の制限を行うことを特徴とするので、動きの少ない画像などのデータ再生処理を数フレーム置きに行うことにより、バッテリー電力の消費を抑えつつ、通常の輝度レベルで良好に表示することができる。
【０２２７】
本発明によれば、上記制御部は、上記符号化データに含まれる映像符号化データと音声符号化データのうち、いずれかのデータのみを受信、復号、出力するよう、上記動作の制限を行うことを特徴とするので、バッテリー電力の消費を抑えつつ、マルチメディアデータの内容に応じて画像表示あるいは音声出力の一方を良好に行うことができる。
【０２２８】
本発明によれば、上記制御部は、上記マルチメディアデータの属性に基づいて、上記符号化データの、優先度の高いデータのみを復号、あるいは出力するよう、上記動作の制限を行うことを特徴とするので、マルチメディアデータの符号化データの再生を、バッテリー電力の消費を抑えつつ行うことができ、しかもその重要な部分の再生品質を高く保持することができる。
【０２２９】
本発明によれば、上記符号化データは、上記マルチメディアデータを基本層と付加層とに区分して階層的に符号化して得られた階層符号化データであり、上記制御部は、上記符号化データの、上記基本層に対応するデータのみを受信、復号、あるいは出力するよう、上記動作の制限を行うことを特徴とするので、マルチメディアデータの符号化データの再生を、バッテリー電力の消費を抑えつつその全体にわたって行うことができる。
【０２３０】
本発明によれば、上記受信された符号化データを蓄積するデータ蓄積部をさらに備え、上記制御部は、上記データ蓄積部を、上記マルチメディアデータの属性に基づいて、上記符号化データの、上記基本層に対応する符号化データのみを蓄積するよう制御することを特徴とするので、符号化データの受信時には、バッテリー電力の消費が抑えられるよう、該符号化データの復号あるいは出力が行われなかった場合でも、バッテリーの充電後などバッテリー電力に余裕がある状態で、上記符号化データの再生を、適切な再生品質を保持して行うことができる。
【０２３１】
本発明に係るデータ再生方法によれば、バッテリーから供給される電力により、マルチメディアデータの符号化データを受信して再生するデータ再生方法であって、上記符号化データを受信する受信ステップと、受信された符号化データを復号して復号データを生成する復号ステップと、該復号データに基づいて映像または音声の出力を行う出力ステップと、上記受信、復号、及び出力の１以上の動作を、上記マルチメディアデータの属性に応じて、上記バッテリー電力の消費が抑えられるよう制限する制御ステップとを含み、上記制御ステップでは、上記マルチメディアデータの属性に基づいて、上記受信、復号、及び出力のうちのいずれの動作を制限可能であるか判定し、動作制限が可能と判定された１以上の動作のうち、より先に行われる動作を制限することを特徴とするので、バッテリー駆動の再生端末では、バッテリー電力の消費の削減がマルチメディアデータの属性に応じた適切な動作制限により行われることとなり、これによりマルチメディアデータの再生を、重要なデータの再生品質を高く保持しつつ、長時間にわたって行うことができる効果が得られる。
【０２３２】
本発明によれば、ネットワーク上の端末から、上記マルチメディアデータに関連する関連データを取得する関連データ取得ステップと、上記関連データと嗜好データ記録部に記録されている嗜好データとに基づいて、上記受信された符号化データの重要度を判定する判定ステップとをさらに含み、上記制御ステップは、上記判定ステップにより判定された符号化データの重要度に基づいて、上記受信、復号、及び出力の１以上の動作を制限することを特徴とするので、バッテリー電力の消費の削減がマルチメディアデータの重要度に応じた適切な動作制限により行われることとなり、動画配信サービスなどを、マルチメディアデータの内容及びユーザの嗜好に合わせて長時間利用することが可能となる。
【０２３３】
本発明に係るプログラムによれば、バッテリーから供給される電力により、マルチメディアデータの符号化データを受信して再生する処理を、コンピュータに実行させるプログラムであって、上記符号化データを受信する受信ステップと、受信された符号化データを復号して復号データを生成する復号ステップと、該復号データに基づいて映像または音声の出力を行う出力ステップと、上記受信、復号、及び出力の１以上の動作を、上記マルチメディアデータの属性に応じて、上記バッテリー電力の消費が抑えられるよう制限する制御ステップとを含み、上記制御ステップでは、上記マルチメディアデータの属性に基づいて、上記受信、復号、及び出力のうちのいずれの動作を制限可能であるか判定し、動作制限が可能と判定された１以上の動作のうち、より先に行われる動作を制御することを特徴とするので、バッテリー駆動の再生端末では、バッテリー電力の消費の削減がマルチメディアデータの属性に応じた適切な動作制限により行われ、マルチメディアデータの再生を、重要なデータの再生品質を高く保持しつつ長時間にわたって行うことができるデータ再生処理を、ソフトウエアにより実現することができる。
【図面の簡単な説明】
【図１】本発明の実施の形態１によるデータ再生装置１００ａを説明するブロック図である。
【図２】上記実施の形態１のデータ再生装置１００ａ（再生端末）の動作を説明する図であり、サーバＳＡと該再生端末１００ａの間でのデータの流れ（図(a)）、及び該再生端末の動作を制限する処理の流れ（図(b)）を示している。
【図３】本発明の実施の形態２によるデータ再生装置１００ｂを説明するブロック図である。
【図４】上記実施の形態２のデータ再生装置１００ｂにて動作を制限する処理の流れを示している。
【図５】上記実施の形態２のデータ再生装置１００ｂにて、バッテリ電力の残量が少ない場合に表示されるメッセージを示す図であり、図(a)はガイドメッセージ（Ｉ）図(b)は選択メッセージ（II）を示している。
【図６】本発明の実施の形態３によるデータ再生装置１００ｃを説明するブロック図である。
【図７】上記実施の形態３のデータ再生装置１００ｃと、該装置に関連データとマルチメディアデータを供給するサーバＳＡを示す図である。
【図８】上記実施の形態３のデータ再生装置１００ｃ（再生端末）の動作を説明する図であり、サーバＳＡと該再生端末１００ｃの間でのデータの流れを示している。
【図９】上記実施の形態３のデータ再生装置１００ｃに供給される関連データの記述Ｄｒｅｃの一例を説明する図である。
【図１０】本発明の実施の形態４によるデータ再生装置１００ｄを説明するブロック図である。
【図１１】上記実施の形態４のデータ再生装置１００ｄに供給される関連データの記述Ｄｒｅｄの一例を説明する図である。
【図１２】上記実施の形態４のデータ再生装置１００ｄで用いる嗜好データの記述Ｄｆｖｄの一例を説明する図である。
【図１３】上記実施の形態４のデータ再生装置（再生端末）１００ｄの動作を説明する図であり、該再生端末の動作を制限する処理の流れを示している。
【図１４】上記実施の形態４のデータ再生装置１００ｄにおける、マルチメディアデータに対する重要度を判定する処理を説明する図である。
【図１５】上記実施の形態４のデータ再生装置１００ｄにて、マルチメディアデータの再生開始時からの経過時間に応じて、動作を制限する処理を切り替えるパターンの一例を示す図である。
【図１６】本発明の実施の形態５によるデータ再生装置１００ｅを説明するブロック図である。
【図１７】上記実施の形態３のデータ再生装置１００ｃにて、マルチメディアデータとして、映像データと音声データの一方のデータのみを取得するためのメッセージ交換を示す図である。
【図１８】上記各実施の形態のデータ再生装置をコンピュータシステムにより行うためのプログラムを格納したデータ記憶媒体（図(a)，(b)）、及び上記コンピュータシステム（図(c)）を説明するための図である。
【図１９】従来のデータ再生装置を説明するブロック図である。
【符号の説明】
１１  受信部
１２  メモリ
１３  復号部
１４  表示部
１５ａ，１５ｂ，１５ｃ，１５ｄ，１５ｅ  再生制御部
１６  電源供給部（バッテリー）
１７  関連データ受信部
１８，１８ｄ  関連データメモリ
２０  嗜好データメモリ
２１  判定部
２３，２３ｅ  登録部
２４，２４ｄ  入力部
２５  蓄積部
２６  セッション管理部
１００ａ，１００ｂ，１００ｃ，１００ｄ，１００ｅ  データ再生装置
１１０ａ，１１０ｂ，１１０ｃ，１１０ｄ，１１０ｅ  データ再生部
Ｃｓ  コンピュータ・システム
Ｆ  フレーム
ＦＤ  フレキシブルディスク
ＦＤＤ  フレキシブルディスクドライブ
Ｎ  ネットワーク
ＳＡ，ＳＢ  サーバ
【図１】
0004167486.tif 000002
【図２】
0004167486.tif 000003
【図３】
0004167486.tif 000004
【図４】
0004167486.tif 000005
【図５】
0004167486.tif 000006
【図６】
0004167486.tif 000007
【図７】
0004167486.tif 000008
【図８】
0004167486.tif 000009
【図９】
0004167486.tif 000010
【図１０】
0004167486.tif 000011
【図１１】
0004167486.tif 000012
【図１２】
0004167486.tif 000013
【図１３】
0004167486.tif 000014
【図１４】
0004167486.tif 000015
【図１５】
0004167486.tif 000016
【図１６】
0004167486.tif 000017
【図１７】
0004167486.tif 000018
【図１８】
0004167486.tif 000019
【図１９】
0004167486.tif 000020